(57)【要約】  本発明は、アップリンクリソースを割り当てる方法、装置及びシステム並びにマクロ基地局を提供する。マクロ基地局は、ユーザーイクイップメントによって報告される測定レポートに従って、ユーザーイクイップメントを第１のユーザーイクイップメント群又は第２のユーザーイクイップメント群に分類し、第１のユーザーイクイップメント群のユーザーイクイップメントの数と第２のユーザーイクイップメント群のユーザーイクイップメントの数との比率に基づいて、第１のユーザーイクイップメント群のユーザーイクイップメントと第２のユーザーイクイップメント群のユーザーイクイップメントとにアップリンクデータ伝送サブフレームを割り当てる。このように、マクロ基地局は、マイクロセルと干渉するアップリンクユーザーイクイップメントを第２のユーザーイクイップメント群に分類し、アップリンクデータ伝送サブフレームの一部のサブフレームを意図的に第２のユーザーイクイップメント群に割り当て、マクロ基地局の干渉を生じるアップリンクユーザーイクイップメントが、マイクロ基地局のアップリンクユーザーイクイップメントのリソースを占有しないようにする。これにより、マイクロ基地局のアップリンクユーザーイクイップメントの全体的な性能を向上させる。
2017501635.tif 000002
【特許請求の範囲】
【請求項１】
アップリンクリソースを割り当てる装置であって、
ユーザーイクイップメントによって報告される測定レポートを取得するように構成される測定レポート取得モジュールと、
前記測定レポートに従って、前記ユーザーイクイップメントを第１のユーザーイクイップメント群又は第２のユーザーイクイップメント群に分類するように構成されるユーザーイクイップメントグループ化モジュールであって、前記第１のユーザーイクイップメント群のユーザーイクイップメントのマイクロセルに対する干渉は、前記第２のユーザーイクイップメント群のユーザーイクイップメントの前記マイクロセルに対する干渉よりも小さい、ユーザーイクイップメントグループ化モジュールと、
スケジューリング周期内に、前記第１のユーザーイクイップメント群のユーザーイクイップメントの数と前記第２のユーザーイクイップメント群のユーザーイクイップメントの数との比率に基づいて、前記第１のユーザーイクイップメント群の前記ユーザーイクイップメントと前記第２のユーザーイクイップメント群の前記ユーザーイクイップメントとに、アップリンクデータ伝送サブフレームを割り当てるように構成されるアップリンクリソース割当てモジュールと、
を備える装置。
【請求項２】
前記ユーザーイクイップメントグループ化モジュールは、具体的には、
前記ユーザーイクイップメントグループ化モジュールが前記ユーザーイクイップメントを前記第２のユーザーイクイップメント群に分類した後、前記第２のユーザーイクイップメント群の各ユーザーイクイップメントによって報告される測定レポートに従って、各ユーザーイクイップメントに対応するマイクロセルをそれぞれ決定するように構成されるマイクロセル決定モジュールであって、各ユーザーイクイップメントは１以上のマイクロセルのエッジに位置する、マイクロセル決定モジュールと、
各ユーザーイクイップメントに対応する前記マイクロセルに従って、各ユーザーイクイップメントをそれぞれ前記第２のユーザーイクイップメント群の対応する小グループに分類するように構成される小グループグループ化モジュールであって、各ユーザーイクイップメントに対応する前記マイクロセルは、前記グループ内の１つの小グループに対応する小グループグループ化モジュールと、
を有する、請求項１に記載の装置。
【請求項３】
前記小グループグループ化モジュールは、具体的には、各ユーザーイクイップメントに対応する前記マイクロセルに従って、各ユーザーイクイップメントをそれぞれ前記第２のユーザーイクイップメント群の通常の小グループに分類するように構成され、前記通常の小グループと各ユーザーイクイップメントに対応する前記マイクロセルとは１対１の関係にある、
請求項２に記載の装置。
【請求項４】
前記小グループグループ化モジュールは、具体的には、
前記第２のユーザーイクイップメント群の任意のユーザーイクイップメントが単一のマイクロセルのみのエッジに位置する場合、前記任意のユーザーイクイップメントを前記第２のユーザーイクイップメント群の通常の小グループに分類するように構成され、前記通常の小グループと前記単一のマイクロセルとは１対１の関係にあり、又は、
前記任意のユーザーイクイップメントが少なくとも２つのマイクロセルのエッジに位置する場合、前記任意のユーザーイクイップメントを前記少なくとも２つのマイクロセルに対応する特定の小グループに分類するように構成され、前記特定の小グループは前記通常の小グループ以外の小グループである、
請求項２に記載の装置。
【請求項５】
前記ユーザーイクイップメントグループ化モジュールは、更に、
前記小グループグループ化モジュールが前記任意のユーザーイクイップメントを前記少なくとも２つのマイクロセルに対応する前記特定の小グループに分類した後、前記特定の小グループがユーザーイクイップメントを１つしか含まない場合、前記特定の小グループの前記ユーザーイクイップメントを、前記少なくとも２つのマイクロセルのうち任意のマイクロセルに対応する通常の小グループに分類し、前記特定の小グループを削除するように構成される小グループ最適化モジュール、
を有する、請求項４に記載の装置。
【請求項６】
前記小グループ最適化モジュールは、更に、前記小グループグループ化モジュールが前記ユーザーイクイップメントを前記第２のユーザーイクイップメント群の対応する前記通常の小グループに分類した後、前記通常の小グループに１つしかユーザーイクイップメントを含まないユニット小グループが存在する場合、前記ユニット小グループの前記ユーザーイクイップメントを前記第１のユーザーイクイップメント群に分類し、前記ユニット小グループを削除するように構成される、
請求項３乃至５のいずれか一項に記載の装置。
【請求項７】
前記アップリンクリソース割当てモジュールは、具体的には、
前記アップリンクリソース割当てモジュールが前記第１のユーザーイクイップメント群の前記ユーザーイクイップメントと前記第２のユーザーイクイップメント群の前記ユーザーイクイップメントとに前記アップリンクデータ伝送サブフレームを割り当てた後、前記第２のユーザーイクイップメント群の各小グループのユーザーイクイップメントの数と前記第２のユーザーイクイップメント群の前記ユーザーイクイップメントの数との比率に従って、前記第２のユーザーイクイップメント群に割り当てられたアップリンクデータ伝送サブフレームを、前記第２のユーザーイクイップメント群の各小グループの前記ユーザーイクイップメントに割り当てるように構成される小グループリソース割当てモジュール、
を有する、請求項２乃至６のいずれか一項に記載の装置。
【請求項８】
前記測定レポートは、前記ユーザーイクイップメントが測定構成に従って測定を行うことによって取得され、且つ、前記ユーザーイクイップメントによって報告され、前記測定構成は、第１の周波数内測定レポートイベントについての情報と第２の周波数内測定レポートイベントについての情報とを伴い、
前記ユーザーイクイップメントに対応するマイクロセルのパイロット信号が良好であるとき、前記マイクロセルは前記第１の周波数内測定レポートイベントをトリガし、マイクロセルの前記パイロット信号が悪化したとき、前記マイクロセルは前記第２の周波数内測定レポートイベントをトリガする、
請求項１乃至７のいずれか一項に記載の装置。
【請求項９】
前記ユーザーイクイップメントグループ化モジュールは、具体的には、
前記ユーザーイクイップメントによって報告された前記測定レポートが前記第１の周波数内測定レポートイベントのトリガによって報告された場合、前記ユーザーイクイップメントを前記第２のユーザーイクイップメント群に分類し、又は、前記ユーザーイクイップメントによって報告された前記測定レポートが前記第２の周波数内測定レポートイベントのトリガによって報告された場合、前記ユーザーイクイップメントが測定を行う前の対応するマイクロセルの数と、前記第２の周波数内測定レポートイベントをトリガしたマイクロセルの数とを比較するように構成され、
前記ユーザーイクイップメントが測定を行う前の対応するマイクロセルの前記数が前記第２の周波数内測定レポートイベントをトリガしたマイクロセルの前記数よりも大きいとき、前記ユーザーイクイップメントを前記第２のユーザーイクイップメント群に分類し、又は、前記ユーザーイクイップメントが測定を行う前の対応するマイクロセルの前記数が前記第２の周波数内測定レポートイベントをトリガしたマイクロセルの前記数と等しいとき、前記ユーザーイクイップメントを前記第１のユーザーイクイップメント群に分類するように構成される、
請求項８に記載の装置。
【請求項１０】
前記ユーザーイクイップメントグループ化モジュールは、更に、
前記ユーザーイクイップメントが前記ユーザーイクイップメントによって報告された前記測定レポートに従って前記第１のユーザーイクイップメント群又は前記第２のユーザーイクイップメント群に分類される前に、且つ、前記ユーザーイクイップメントが１回目に報告した前記測定レポートが受信される前に、前記ユーザーイクイップメントを前記第１のユーザーイクイップメント群に分類するように構成される、
請求項１乃至９のいずれか一項に記載の装置。
【請求項１１】
前記測定レポート取得モジュールは、具体的には、前記測定構成を前記ユーザーイクイップメントに発送するように構成され、更に、前記ユーザーイクイップメントによる前記測定構成に基づく測定によって取得され、且つ前記ユーザーイクイップメントに対応する前記マイクロセルが前記第１の周波数内測定レポートイベント又は前記第２の周波数内測定レポートイベントをトリガするときに報告される前記測定レポートを受信するように構成される、
請求項８乃至１０のいずれか一項に記載の装置。
【請求項１２】
前記測定レポート取得モジュールは、具体的には、無線ネットワークコントローラによって転送される前記ユーザーイクイップメントの前記測定レポートを受信するように構成され、
前記測定レポートは、前記無線ネットワークコントローラによって発送される前記測定構成に従う前記ユーザーイクイップメントによる測定によって取得され、且つ、前記ユーザーイクイップメントに対応する前記マイクロセルが前記第１の周波数内測定レポートイベント又は前記第２の周波数内測定レポートイベントをトリガするときに前記無線ネットワークコントローラに報告される、
請求項８乃至１０のいずれか一項に記載の装置。
【請求項１３】
マクロ基地局であって、
ユーザーイクイップメントによって報告される測定レポートを受信するように構成される受信器と、
前記ユーザーイクイップメントによって報告される前記測定レポートに従って、前記ユーザーイクイップメントを第１のユーザーイクイップメント群又は第２のユーザーイクイップメント群に分類するように構成されるプロセッサであって、前記第２のユーザーイクイップメント群のユーザーイクイップメントはマイクロセルのエッジに位置し、且つソフトハンドオーバー領域内には位置せず、前記第２のユーザーイクイップメント群の前記ユーザーイクイップメントとから当該マクロ基地局までの距離は、前記第１のユーザーイクイップメント群のユーザーイクイップメントから当該マクロ基地局までの距離よりも長く、更に、スケジューリング周期内に、前記第１のユーザーイクイップメント群のユーザーイクイップメントの数と前記第２のユーザーイクイップメント群のユーザーイクイップメントの数との比率に基づいて、前記第１のユーザーイクイップメント群の前記ユーザーイクイップメントと前記第２のユーザーイクイップメント群の前記ユーザーイクイップメントとに、アップリンクデータ伝送サブフレームを割り当てるように構成されるプロセッサと、
を備える、マクロ基地局。
【請求項１４】
前記プロセッサは、更に、
前記ユーザーイクイップメントを前記第２のユーザーイクイップメント群に分類した後、前記第２のユーザーイクイップメント群の各ユーザーイクイップメントによって報告される測定レポートに従って、各ユーザーイクイップメントに対応するマイクロセルをそれぞれ決定するように構成され、各ユーザーイクイップメントは１以上のマイクロセルのエッジに位置し、且つ、
各ユーザーイクイップメントに対応する前記マイクロセルに従って、各ユーザーイクイップメントをそれぞれ前記第２のユーザーイクイップメント群の対応する小グループに分類するように構成され、各ユーザーイクイップメントに対応する前記マイクロセルは、前記グループ内の１つの小グループに対応する、
請求項１３に記載のマクロ基地局。
【請求項１５】
前記プロセッサは、具体的には、各ユーザーイクイップメントに対応する前記マイクロセルに従って、各ユーザーイクイップメントをそれぞれ前記第２のユーザーイクイップメント群の通常の小グループに分類するように構成され、前記通常の小グループと各ユーザーイクイップメントに対応する前記マイクロセルとは１対１の関係にある、
請求項１４に記載のマクロ基地局。
【請求項１６】
前記プロセッサは、具体的には、
前記第２のユーザーイクイップメント群の任意のユーザーイクイップメントが単一のマイクロセルのみのエッジに位置する場合、前記任意のユーザーイクイップメントを前記第２のユーザーイクイップメント群の通常の小グループに分類するように構成され、前記通常の小グループと前記単一のマイクロセルとは１対１の関係にあり、又は、
前記任意のユーザーイクイップメントが少なくとも２つのマイクロセルのエッジに位置する場合、前記任意のユーザーイクイップメントを前記少なくとも２つのマイクロセルに対応する特定の小グループに分類するように構成され、前記特定の小グループは前記通常の小グループ以外の小グループである、
請求項１４に記載のマクロ基地局。
【請求項１７】
前記プロセッサは、更に、前記任意のユーザーイクイップメントを前記少なくとも２つのマイクロセルに対応する前記特定の小グループに分類した後、前記特定の小グループがユーザーイクイップメントを１つしか含まない場合、前記特定の小グループの前記ユーザーイクイップメントを、前記少なくとも２つのマイクロセルのうち任意のマイクロセルに対応する通常の小グループに分類し、前記特定の小グループを削除するように構成される、
請求項１６に記載のマクロ基地局。
【請求項１８】
前記プロセッサは、更に、前記ユーザーイクイップメントを前記第２のユーザーイクイップメント群の前記対応する通常の小グループに分類した後、前記通常の小グループに１つしかユーザーイクイップメントを含まないユニット小グループが存在する場合、前記ユニット小グループの前記ユーザーイクイップメントを前記第１のユーザーイクイップメント群に分類し、前記ユニット小グループを削除するように構成される、
請求項１５乃至１７のいずれか一項に記載のマクロ基地局。
【請求項１９】
前記プロセッサは、更に、前記第１のユーザーイクイップメント群の前記ユーザーイクイップメントと前記第２のユーザーイクイップメント群の前記ユーザーイクイップメントとに前記アップリンクデータ伝送サブフレームを割り当てた後、前記第２のユーザーイクイップメント群の各小グループのユーザーイクイップメントの数と前記第２のユーザーイクイップメント群の前記ユーザーイクイップメントの数との比率に従って、前記第２のユーザーイクイップメント群に割り当てられたアップリンクデータ伝送サブフレームを、前記第２のユーザーイクイップメント群の各小グループの前記ユーザーイクイップメントに割り当てるように構成される、
請求項１４乃至１８のいずれか一項に記載のマクロ基地局。
【請求項２０】
前記測定レポートは、前記ユーザーイクイップメントが測定構成に従って測定を行うことによって取得され、且つ、前記ユーザーイクイップメントによって報告され、前記測定構成は、第１の周波数内測定レポートイベントについての情報と第２の周波数内測定レポートイベントについての情報とを伴い、
前記ユーザーイクイップメントに対応するマイクロセルのパイロット信号が良好であるとき、前記マイクロセルは前記第１の周波数内測定レポートイベントをトリガし、マイクロセルのパイロット信号が悪化したとき、前記マイクロセルは前記第２の周波数内測定レポートイベントをトリガする、
請求項１３乃至１９のいずれか一項に記載のマクロ基地局。
【請求項２１】
前記プロセッサは、具体的には、前記ユーザーイクイップメントによって報告された前記測定レポートが前記第１の周波数内測定レポートイベントのトリガによって報告された場合、前記ユーザーイクイップメントを前記第２のユーザーイクイップメント群に分類し、又は、前記ユーザーイクイップメントによって報告された前記測定レポートが前記第２の周波数内測定レポートイベントのトリガによって報告された場合、前記ユーザーイクイップメントが測定を行う前の対応するマイクロセルの数と、前記第２の周波数内測定レポートイベントをトリガしたマイクロセルの数とを比較するように構成され、
前記ユーザーイクイップメントが測定を行う前の対応するマイクロセルの前記数が前記第２の周波数内測定レポートイベントをトリガしたマイクロセルの前記数よりも大きいとき、前記ユーザーイクイップメントを前記第２のユーザーイクイップメント群に分類し、又は、前記ユーザーイクイップメントが測定を行う前の対応するマイクロセルの前記数が前記第２の周波数内測定レポートイベントをトリガしたマイクロセルの前記数と等しいとき、前記ユーザーイクイップメントを前記第１のユーザーイクイップメント群に分類するように構成される、
請求項２０に記載のマクロ基地局。
【請求項２２】
前記プロセッサは、更に、前記ユーザーイクイップメントが前記ユーザーイクイップメントによって報告された前記測定レポートに従って前記第１のユーザーイクイップメント群又は前記第２のユーザーイクイップメント群に分類される前に、且つ、前記ユーザーイクイップメントによって報告される前記測定レポートが受信される前に、前記ユーザーイクイップメントを前記第１のユーザーイクイップメント群に分類するように構成される、
請求項２１に記載のマクロ基地局。
【請求項２３】
前記ユーザーイクイップメントが前記測定構成に基づいて測定を行えるように、前記測定構成を前記ユーザーイクイップメントに発送するように構成され、且つ、前記ユーザーイクイップメントに対応する前記マイクロセルが前記第１の周波数内測定レポートイベント又は前記第２の周波数内測定レポートイベントをトリガするときに、前記測定レポートを報告するように構成される送信器、
を更に備える、請求項２１乃至２２のいずれか一項に記載のマクロ基地局。
【請求項２４】
前記受信器は、具体的には、前記ユーザーイクイップメントが前記ユーザーイクイップメントによって報告された前記測定レポートに従って前記第１のユーザーイクイップメント群又は前記第２のユーザーイクイップメント群に分類される前に、無線ネットワークコントローラによって転送される前記ユーザーイクイップメントの前記測定レポートを受信するように構成され、
前記測定レポートは、前記無線ネットワークコントローラによって発送される前記測定構成に従う前記ユーザーイクイップメントによる測定によって取得され、且つ、前記ユーザーイクイップメントに対応する前記マイクロセルが前記第１の周波数内測定レポートイベント又は前記第２の周波数内測定レポートイベントをトリガするときに、前記無線ネットワークコントローラに報告される、
請求項２１乃至２２のいずれか一項に記載のマクロ基地局。
【請求項２５】
ユーザーイクイップメントに測定構成を発送するように構成される送信器であって、前記測定構成は、第１の周波数内測定レポートイベントについての情報と第２の周波数内測定レポートイベントについての情報とを伴い、前記ユーザーイクイップメントに対応するマイクロセルのパイロット信号が良好であるとき、前記マイクロセルは前記第１の周波数内測定レポートイベントをトリガし、マイクロセルのパイロット信号が悪化したとき、前記マイクロセルは前記第２の周波数内測定レポートイベントをトリガし、更に、前記測定構成に従う前記ユーザーイクイップメントによる測定によって取得され且つ前記ユーザーイクイップメントによって報告される測定レポートを、マクロ基地局に転送するように構成される送信器と、
前記測定レポートを受信するように構成される受信器と、
を備える無線ネットワークコントローラ。
【請求項２６】
ユーザーイクイップメントであって、
ネットワーク側から発送される測定構成を受信するように構成される受信器であって、前記測定構成は、第１の周波数内測定レポートイベントについての情報と第２の周波数内測定レポートイベントについての情報とを伴い、当該ユーザーイクイップメントに対応するマイクロセルのパイロット信号が良好であるとき、前記マイクロセルは前記第１の周波数内測定レポートイベントをトリガし、マイクロセルのパイロット信号が悪化したとき、前記マイクロセルは前記第２の周波数内測定レポートイベントをトリガする、受信器と、
前記測定構成に従って測定が行われ、且つ、マイクロセルが前記第１の周波数内測定レポートイベント及び／又は前記第２の周波数内測定レポートイベントをトリガするとき、前記ネットワーク側に測定レポートを報告するように構成される送信器と、
を備えるユーザーイクイップメント。
【請求項２７】
アップリンクリソースを割り当てる方法であって、
マクロ基地局が、ユーザーイクイップメントによって報告される測定レポートを取得するステップと、
前記マクロ基地局が、前記測定レポートに従って、前記ユーザーイクイップメントを第１のユーザーイクイップメント群又は第２のユーザーイクイップメント群に分類するステップであって、前記第１のユーザーイクイップメント群のユーザーイクイップメントのマイクロセルに対する干渉は、前記第２のユーザーイクイップメント群のユーザーイクイップメントの前記マイクロセルに対する干渉よりも小さい、ステップと、
前記マクロ基地局が、スケジューリング周期内に、前記第１のユーザーイクイップメント群のユーザーイクイップメントの数と前記第２のユーザーイクイップメント群のユーザーイクイップメントの数との比率に基づいて、前記第１のユーザーイクイップメント群の前記ユーザーイクイップメントと前記第２のユーザーイクイップメント群の前記ユーザーイクイップメントとに、アップリンクデータ伝送サブフレームを割り当てるステップと、
を含む方法。
【請求項２８】
前記マクロ基地局が前記ユーザーイクイップメントを第２のユーザーイクイップメント群に分類した後に、
前記マクロ基地局が、前記第２のユーザーイクイップメント群の各ユーザーイクイップメントによって報告される測定レポートに従って、各ユーザーイクイップメントに対応するマイクロセルをそれぞれ決定するステップであって、各ユーザーイクイップメントは１以上のマイクロセルのエッジに位置する、ステップと、
前記マクロ基地局が、各ユーザーイクイップメントに対応する前記マイクロセルに従って、各ユーザーイクイップメントをそれぞれ前記第２のユーザーイクイップメント群の対応する小グループに分類するステップであって、各ユーザーイクイップメントに対応する前記マイクロセルは、前記グループ内の１つの小グループに対応する、ステップと、
を更に含む、請求項２７に記載の方法。
【請求項２９】
前記マクロ基地局が、各ユーザーイクイップメントに対応する前記マイクロセルに従って、各ユーザーイクイップメントをそれぞれ前記第２のユーザーイクイップメント群の小グループに分類する前記ステップは、具体的には、
前記マクロ基地局が、各ユーザーイクイップメントに対応する前記マイクロセルに従って、各ユーザーイクイップメントをそれぞれ前記第２のユーザーイクイップメント群の通常の小グループに分類するステップであって、前記通常の小グループと各ユーザーイクイップメントに対応する前記マイクロセルとは１対１の関係にある、ステップ、
を含む、請求項２８に記載の方法。
【請求項３０】
前記マクロ基地局が、各ユーザーイクイップメントに対応する前記マイクロセルに従って、各ユーザーイクイップメントをそれぞれ前記第２のユーザーイクイップメント群の小グループに分類する前記ステップは、具体的には、
前記第２のユーザーイクイップメント群の任意のユーザーイクイップメントが単一のマイクロセルのみのエッジに位置する場合、前記マクロ基地局が、前記任意のユーザーイクイップメントを前記第２のユーザーイクイップメント群の通常の小グループに分類するステップであって、前記通常の小グループと前記単一のマイクロセルとは１対１の関係にある、ステップ、又は、
前記任意のユーザーイクイップメントが少なくとも２つのマイクロセルのエッジに位置する場合、前記マクロ基地局が、前記任意のユーザーイクイップメントを前記少なくとも２つのマイクロセルに対応する特定の小グループに分類するステップであって、前記特定の小グループは前記通常の小グループ以外の小グループである、ステップ、
を含む、請求項２８に記載の方法。
【請求項３１】
前記マクロ基地局が前記任意のユーザーイクイップメントを前記第２のユーザーイクイップメント群の特定の小グループに分類するステップの後に、
前記少なくとも２つのマイクロセルに対応する前記特定の小グループがユーザーイクイップメントを１つしか含まない場合、前記マクロ基地局が、前記特定の小グループの前記ユーザーイクイップメントを前記少なくとも２つのマイクロセルのうち任意のマイクロセルに対応する通常の小グループに分類し、前記特定の小グループを削除するステップ、
を更に含む、請求項３０に記載の方法。
【請求項３２】
前記マクロ基地局がユーザーイクイップメントを前記第２のユーザーイクイップメント群の対応する通常の小グループに分類する前記ステップの後に、
前記通常の小グループに１つしかユーザーイクイップメントを含まないユニット小グループが存在する場合、前記マクロ基地局が、前記ユニット小グループの前記ユーザーイクイップメントを前記第１のユーザーイクイップメント群に分類し、前記ユニット小グループを削除するステップ、
を更に含む、請求項２９乃至３１のいずれか一項に記載の方法。
【請求項３３】
記マクロ基地局が前記第１のユーザーイクイップメント群の前記ユーザーイクイップメントと前記第２のユーザーイクイップメント群の前記ユーザーイクイップメントとにアップリンクデータ伝送サブフレームを割り当てる前記ステップの後に、
前記マクロ基地局が、前記第２のユーザーイクイップメント群の各小グループのユーザーイクイップメントの数と前記第２のユーザーイクイップメント群の前記ユーザーイクイップメントの数との比率に従って、前記第２のユーザーイクイップメント群に割り当てられたアップリンクデータ伝送サブフレームを、前記第２のユーザーイクイップメント群の各小グループの前記ユーザーイクイップメントに割り当てるステップ、
を更に含む、請求項２８乃至３２のいずれか一項に記載の方法。
【請求項３４】
前記測定レポートは、前記ユーザーイクイップメントが測定構成に従って測定を行うことによって取得され、且つ、前記ユーザーイクイップメントによって報告され、前記測定構成は、第１の周波数内測定レポートイベントについての情報と第２の周波数内測定レポートイベントについての情報とを伴い、
前記ユーザーイクイップメントに対応するマイクロセルのパイロット信号が良好であるとき、前記マイクロセルは前記第１の周波数内測定レポートイベントをトリガし、前記第１のマイクロセルの前記パイロット信号が悪化したとき、前記マイクロセルは前記第２の周波数内測定レポートイベントをトリガする、
請求項２８乃至３２のいずれか一項に記載の方法。
【請求項３５】
前記マクロ基地局が、前記測定レポートに従って、前記ユーザーイクイップメントを第１のユーザーイクイップメント群又は第２のユーザーイクイップメント群に分類する前記ステップは、具体的には、
前記ユーザーイクイップメントによって報告された前記測定レポートが前記第１の周波数内測定レポートイベントのトリガによって報告された場合、前記マクロ基地局が、前記ユーザーイクイップメントを前記第２のユーザーイクイップメント群に分類するステップ、又は、
前記ユーザーイクイップメントによって報告された前記測定レポートが前記第２の周波数内測定レポートイベントのトリガによって報告された場合、前記マクロ基地局が、前記ユーザーイクイップメントが測定を行う前の対応するマイクロセルの数と、前記第２の周波数内測定レポートイベントをトリガしたマイクロセルの数とを比較し、前記ユーザーイクイップメントが測定を行う前の対応するマイクロセルの前記数が前記第２の周波数内測定レポートイベントをトリガしたマイクロセルの前記数よりも大きいとき、前記マクロ基地局が、前記ユーザーイクイップメントを前記第２のユーザーイクイップメント群に分類し、若しくは、前記ユーザーイクイップメントが測定を行う前の対応するマイクロセルの前記数が前記第２の周波数内測定レポートイベントをトリガしたマイクロセルの前記数と等しいとき、前記マクロ基地局が、前記ユーザーイクイップメントを前記第１のユーザーイクイップメント群に分類するステップ、
を含む、請求項３４に記載の方法。
【請求項３６】
前記マクロ基地局が、前記ユーザーイクイップメントによって報告された前記測定レポートに従って、前記ユーザーイクイップメントを第１のユーザーイクイップメント群又は第２のユーザーイクイップメント群に分類する前記ステップの前に、
前記ユーザーイクイップメントによって報告される前記測定レポートを取得する前に、前記マクロ基地局が、前記ユーザーイクイップメントを前記第１のユーザーイクイップメント群に分類するステップ、
を更に含む、請求項２７乃至３５のいずれか一項に記載の方法。
【請求項３７】
マクロ基地局がユーザーイクイップメントによって報告される測定レポートを取得する前記ステップは、
前記マクロ基地局が、前記測定構成を前記ユーザーイクイップメントに発送するステップと、
前記マクロ基地局が、前記ユーザーイクイップメントによる前記測定構成に基づく測定によって取得され、且つ前記ユーザーイクイップメントに対応する前記マイクロセルが前記第１の周波数内測定レポートイベント又は前記第２の周波数内測定レポートイベントをトリガするときに報告される測定レポートを受信するステップと、
を含む、請求項３４乃至３６のいずれか一項に記載の方法。
【請求項３８】
マクロ基地局がユーザーイクイップメントによって報告される測定レポートを取得する前記ステップは、
前記マクロ基地局が、無線ネットワークコントローラによって転送される前記ユーザーイクイップメントの前記測定レポートを受信するステップであって、前記測定レポートは、前記無線ネットワークコントローラによって発送される前記測定構成に従う前記ユーザーイクイップメントによる測定によって取得され、且つ、前記ユーザーイクイップメントに対応する前記マイクロセルが前記第１の周波数内測定レポートイベント又は前記第２の周波数内測定レポートイベントをトリガするときに、前記無線ネットワークコントローラに報告される、ステップ、
を含む、請求項３４乃至３６のいずれか一項に記載の方法。
【発明の詳細な説明】
【技術分野】
【０００１】
本発明は通信分野に関し、特に、アップリンクリソースを割り当てる方法及び装置並びにマクロ基地局に関する。
【背景技術】
【０００２】
無線データトラフィックに対する人々のますます巨大な需要を満たすために、オペレータは、マクロセル内にマイクロセル、ピコセル、フェムトセルなどの低電力アクセスポイントを大量に配置し、マクロ基地局に存在するスペクトルリソースを再利用して、同一のアクセス技術に基づくがカバレッジエリアの異なる異種ネットワーク（ＨｅｔＮｅｔ）を形成する。結果として、無線通信システムのスループットが明らかに改善される。
【０００３】
ＨｅｔＮｅｔでは、ユーザーは、ダウンリンク測定信号強度に応じてセルを選択する。マイクロ基地局の送信電力はマクロ基地局の送信電力よりもはるかに低いので、マイクロ基地局のカバレッジエリアははるかに小さい。したがって、ＵＭＴＳ（Universal  Mobile  Telecommunications  System，ユニバーサル・モバイル・テレコミュニケーション・システム）又はＬＴＥ（Long  Term  Evolution，ロングタームエボリューション）システムでは、基地局から遠いユーザーがパス損失と「近接効果」の効果を補償するために比較的大きな送信電力を必要とするように電力制御技術が用いられる。したがって、マクロ基地局のマイクロセルのエッジのユーザーイクイップメントがマクロ基地局から離れている場合、マクロ基地局のユーザーイクイップメントは、比較的高いアップリンク送信電力を使用する。また、マクロ基地局のユーザーイクイップメントは、アップリンクデータ送信時に、該ユーザーイクイップメント付近のマイクロセルに対して深刻なアップリンク干渉を生じ、したがって、マイクロ基地局のアップリンク容量が減少する。
【発明の概要】
【０００４】
マクロ基地局のユーザーイクイップメントが、アップリンクデータ送信時に、該ユーザーイクイップメント付近のマイクロセルに対して深刻なアップリンク干渉を生じるという従来技術の技術的課題を解決するために、本発明は、アップリンクリソースを割り当てる方法及び装置並びにマクロ基地局を提供し、したがって、マイクロ基地局のアップリンク容量が低減される。
【０００５】
第１の態様によれば、本発明はアップリンクリソースを割り当てる装置を提供する。本装置は、ユーザーイクイップメントによって報告される測定レポートを取得するように構成される測定レポート取得モジュールと、測定レポートに従って、ユーザーイクイップメントを第１のユーザーイクイップメント群又は第２のユーザーイクイップメント群に分類するように構成されるユーザーイクイップメントグループ化モジュールであって、第１のユーザーイクイップメント群のユーザーイクイップメントのマイクロセルに対する干渉は、第２のユーザーイクイップメント群のユーザーイクイップメントのマイクロセルに対する干渉よりも小さい、ユーザーイクイップメントグループ化モジュールと、スケジューリング周期内に、第１のユーザーイクイップメント群のユーザーイクイップメントの数と第２のユーザーイクイップメント群のユーザーイクイップメントの数との比率に基づいて、第１のユーザーイクイップメント群のユーザーイクイップメントと第２のユーザーイクイップメント群のユーザーイクイップメントとにアップリンクデータ伝送サブフレームを割り当てるように構成されるアップリンクリソース割当てモジュールと、を備える。
【０００６】
第１の態様に関して、第１の可能な実施方式では、ユーザーイクイップメントグループ化モジュールは、具体的には、ユーザーイクイップメントグループ化モジュールがユーザーイクイップメントを第２のユーザーイクイップメント群に分類した後、第２のユーザーイクイップメント群の各ユーザーイクイップメントによって報告される測定レポートに従って、各ユーザーイクイップメントに対応するマイクロセルをそれぞれ決定するように構成されるマイクロセル決定モジュールであって、各ユーザーイクイップメントは１以上のマイクロセルのエッジに位置する、マイクロセル決定モジュールと、各ユーザーイクイップメントに対応するマイクロセルに従って、各ユーザーイクイップメントをそれぞれ第２のユーザーイクイップメント群の対応する小グループに分類するように構成される小グループグループ化モジュールであって、各ユーザーイクイップメントに対応するマイクロセルは、グループ内の１つの小グループに対応する、小グループグループ化モジュールと、を有する。
【０００７】
第１の可能な実施方式に関して、第２の可能な実施方式では、小グループグループ化モジュールは、具体的には、各ユーザーイクイップメントに対応するマイクロセルに従って、各ユーザーイクイップメントをそれぞれ第２のユーザーイクイップメント群の通常の小グループに分類するように構成され、通常の小グループと各ユーザーイクイップメントに対応するマイクロセルとは１対１の関係にある。
【０００８】
第１の可能な実施方式に関して、第３の可能な実施方式では、小グループグループ化モジュールは、具体的には、第２のユーザーイクイップメント群の任意のユーザーイクイップメントが単一のマイクロセルのみのエッジに位置する場合、任意のユーザーイクイップメントを第２のユーザーイクイップメント群の通常の小グループに分類するように構成され、通常の小グループと単一のマイクロセルとは１対１の関係にあり、又は、任意のユーザーイクイップメントが少なくとも２つのマイクロセルのエッジに位置する場合、任意のユーザーイクイップメントを少なくとも２つのマイクロセルに対応する特定の小グループに分類するように構成され、特定の小グループは通常の小グループ以外の小グループである。
【０００９】
第３の可能な実施方式に関して、第４の可能な実施方式では、ユーザーイクイップメントグループ化モジュールは、更に、
小グループグループ化モジュールが任意のユーザーイクイップメントを少なくとも２つのマイクロセルに対応する特定の小グループに分類した後、特定の小グループがユーザーイクイップメントを１つしか含まない場合、特定の小グループのユーザーイクイップメントを、少なくとも２つのマイクロセルのうち任意のマイクロセルに対応する通常の小グループに分類し、特定の小グループを削除するように構成される小グループ最適化モジュール、
を有する。
【００１０】
第２の可能な実施方式〜第４の可能な実施方式のうちいずれか１つに関して、第５の可能な実施方式では、小グループ最適化モジュールは、更に、小グループグループ化モジュールがユーザーイクイップメントを第２のユーザーイクイップメント群の対応する通常の小グループに分類した後、通常の小グループに１つしかユーザーイクイップメントを含まないユニット小グループが存在する場合、ユニット小グループのユーザーイクイップメントを第１のユーザーイクイップメント群に分類し、ユニット小グループを削除するように構成される。
【００１１】
第１の可能な実施方式〜第５の可能な実施方式のうちいずれか１つに関して、第６の可能な実施方式では、アップリンクリソース割当てモジュールは、具体的には、
アップリンクリソース割当てモジュールが第１のユーザーイクイップメント群のユーザーイクイップメントと第２のユーザーイクイップメント群のユーザーイクイップメントとにアップリンクデータ伝送サブフレームを割り当てた後、第２のユーザーイクイップメント群の各小グループのユーザーイクイップメントの数と第２のユーザーイクイップメント群のユーザーイクイップメントの数との比率に従って、第２のユーザーイクイップメント群に割り当てられたアップリンクデータ伝送サブフレームを、第２のユーザーイクイップメント群の各小グループのユーザーイクイップメントに割り当てるように構成される小グループリソース割当てモジュール、
を有する。
【００１２】
第１の態様〜第６の可能な実施方式のうちいずれか１つに関して、第７の可能な実施方式では、測定レポートは、ユーザーイクイップメントが測定構成に従って測定を行うことによって取得され、且つ、ユーザーイクイップメントによって報告され、測定構成は、第１の周波数内測定レポートイベントについての情報と第２の周波数内測定レポートイベントについての情報とを伴う。ユーザーイクイップメントに対応するマイクロセルのパイロット信号が良好であるとき、マイクロセルは第１の周波数内測定レポートイベントをトリガし、マイクロセルのパイロット信号が悪化したとき、マイクロセルは第２の周波数内測定レポートイベントをトリガする。
【００１３】
第７の可能な実施方式に関して、第８の可能な実施方式では、ユーザーイクイップメントグループ化モジュールは、具体的には、
ユーザーイクイップメントによって報告された測定レポートが第１の周波数内測定レポートイベントのトリガによって報告された場合、ユーザーイクイップメントを第２のユーザーイクイップメント群に分類し、又は、ユーザーイクイップメントによって報告された測定レポートが第２の周波数内測定レポートイベントのトリガによって報告された場合、ユーザーイクイップメントが測定を行う前の対応するマイクロセルの数と、第２の周波数内測定レポートイベントをトリガしたマイクロセルの数とを比較するように構成され、
ユーザーイクイップメントが測定を行う前の対応するマイクロセルの数が第２の周波数内測定レポートイベントをトリガしたマイクロセルの数よりも大きいとき、ユーザーイクイップメントを第２のユーザーイクイップメント群に分類し、又は、ユーザーイクイップメントが測定を行う前の対応するマイクロセルの数が第２の周波数内測定レポートイベントをトリガしたマイクロセルの数と等しいとき、ユーザーイクイップメントを第１のユーザーイクイップメント群に分類するように構成される。
【００１４】
第１の態様〜第８の可能な実施方式のうちいずれか１つに関して、第９の可能な実施方式では、ユーザーイクイップメントグループ化モジュールは、更に、ユーザーイクイップメントがユーザーイクイップメントによって報告された測定レポートに従って第１のユーザーイクイップメント群又は第２のユーザーイクイップメント群に分類される前に、且つ、ユーザーイクイップメントが１回目に報告した測定レポートが受信される前に、ユーザーイクイップメントを第１のユーザーイクイップメント群に分類するように構成される。
【００１５】
第７の可能な実施方式〜第９の可能な実施方式のうちいずれか１つに関して、第１０の可能な実施方式では、測定レポート取得モジュールは、具体的には、測定構成をユーザーイクイップメントに発送するように構成され、更に、ユーザーイクイップメントによる測定構成に基づく測定によって取得され、且つユーザーイクイップメントに対応するマイクロセルが第１の周波数内測定レポートイベント又は第２の周波数内測定レポートイベントをトリガするときに報告される測定レポートを受信するように構成される。
【００１６】
第７の可能な実施方式〜第９の可能な実施方式のうちいずれか１つに関して、第１０の可能な実施方式では、測定レポート取得モジュールは、具体的には、無線ネットワークコントローラによって転送されるユーザーイクイップメントの測定レポートを受信するように構成される。測定レポートは、無線ネットワークコントローラによって発送される測定構成に従うユーザーイクイップメントによる測定によって取得され、且つ、ユーザーイクイップメントに対応するマイクロセルが第１の周波数内測定レポートイベント又は第２の周波数内測定レポートイベントをトリガするときに、無線ネットワークコントローラに報告される。
【００１７】
第２の態様によれば、本発明はマクロ基地局を提供する。本マクロ基地局は、ユーザーイクイップメントによって報告される測定レポートを受信するように構成される受信器と、ユーザーイクイップメントによって報告される測定レポートに従って、ユーザーイクイップメントを第１のユーザーイクイップメント群又は第２のユーザーイクイップメント群に分類するように構成されるプロセッサであって、第２のユーザーイクイップメント群のユーザーイクイップメントはマイクロセルのエッジに位置し、且つソフトハンドオーバー領域内には位置せず、第２のユーザーイクイップメント群のユーザーイクイップメントとからマクロ基地局までの距離は、第１のユーザーイクイップメント群のユーザーイクイップメントから当該マクロ基地局までの距離よりも長く、更に、スケジューリング周期内に、第１のユーザーイクイップメント群のユーザーイクイップメントの数と第２のユーザーイクイップメント群のユーザーイクイップメントの数との比率に基づいて、第１のユーザーイクイップメント群のユーザーイクイップメントと第２のユーザーイクイップメント群のユーザーイクイップメントとに、アップリンクデータ伝送サブフレームを割り当てるように構成されるプロセッサと、を備える。
【００１８】
第２の態様に関して、第１の可能な実施方式では、プロセッサは、更に、ユーザーイクイップメントを第２のユーザーイクイップメント群に分類した後、第２のユーザーイクイップメント群の各ユーザーイクイップメントによって報告される測定レポートに従って、各ユーザーイクイップメントに対応するマイクロセルをそれぞれ決定するように構成され、各ユーザーイクイップメントは１以上のマイクロセルのエッジに位置し、且つ、各ユーザーイクイップメントに対応するマイクロセルに従って、各ユーザーイクイップメントをそれぞれ第２のユーザーイクイップメント群の対応する小グループに分類するように構成され、各ユーザーイクイップメントに対応するマイクロセルは、グループ内の１つの小グループに対応する。
【００１９】
第１の可能な実施方式に関して、第２の可能な実施方式では、プロセッサは、具体的には、各ユーザーイクイップメントに対応するマイクロセルに従って、各ユーザーイクイップメントをそれぞれ第２のユーザーイクイップメント群の通常の小グループに分類するように構成される。通常の小グループと各ユーザーイクイップメントに対応するマイクロセルとは１対１の関係にある。
【００２０】
第１の可能な実施方式に関して、第３の可能な実施方式では、プロセッサは、具体的には、第２のユーザーイクイップメント群の任意のユーザーイクイップメントが単一のマイクロセルのみのエッジに位置する場合、任意のユーザーイクイップメントを第２のユーザーイクイップメント群の通常の小グループに分類するように構成され、通常の小グループと単一のマイクロセルとは１対１の関係にあり、又は、任意のユーザーイクイップメントが少なくとも２つのマイクロセルのエッジに位置する場合、任意のユーザーイクイップメントを少なくとも２つのマイクロセルに対応する特定の小グループに分類するように構成され、特定の小グループは通常の小グループ以外の小グループである。
【００２１】
第３の可能な実施方式に関して、第４の可能な実施方式では、プロセッサは、更に、任意のユーザーイクイップメントを少なくとも２つのマイクロセルに対応する特定の小グループに分類した後、特定の小グループがユーザーイクイップメントを１つしか含まない場合、特定の小グループのユーザーイクイップメントを、少なくとも２つのマイクロセルのうち任意のマイクロセルに対応する通常の小グループに分類し、特定の小グループを削除するように構成される。
【００２２】
第２の可能な実施方式〜第４の可能な実施方式のうちいずれか１つに関して、第５の可能な実施方式では、プロセッサは、更に、ユーザーイクイップメントを第２のユーザーイクイップメント群の対応する通常の小グループに分類した後、通常の小グループに１つしかユーザーイクイップメントを含まないユニット小グループが存在する場合、ユニット小グループのユーザーイクイップメントを第１のユーザーイクイップメント群に分類し、ユニット小グループを削除するように構成される。
【００２３】
第１の可能な実施方式〜第５の可能な実施方式のうちいずれか１つに関して、第６の可能な実施方式では、プロセッサは、更に、第１のユーザーイクイップメント群のユーザーイクイップメントと第２のユーザーイクイップメント群のユーザーイクイップメントとにアップリンクデータ伝送サブフレームを割り当てた後、第２のユーザーイクイップメント群の各小グループのユーザーイクイップメントの数と第２のユーザーイクイップメント群のユーザーイクイップメントの数との比率に従って、第２のユーザーイクイップメント群に割り当てられたアップリンクデータ伝送サブフレームを、第２のユーザーイクイップメント群の各小グループのユーザーイクイップメントに割り当てるように構成される。
【００２４】
第２の態様〜第６の可能な実施方式のうちいずれか１つに関して、第７の可能な実施方式では、測定レポートは、ユーザーイクイップメントが測定構成に従って測定を行うことによって取得され、且つ、ユーザーイクイップメントによって報告される。測定構成は、第１の周波数内測定レポートイベントについての情報と第２の周波数内測定レポートイベントについての情報とを伴う。ユーザーイクイップメントに対応するマイクロセルのパイロット信号が良好であるとき、マイクロセルは第１の周波数内測定レポートイベントをトリガし、マイクロセルのパイロット信号が悪化したとき、マイクロセルは第２の周波数内測定レポートイベントをトリガする。
【００２５】
第７の可能な実施方式に関して、第８の可能な実施方式では、プロセッサは、具体的には、ユーザーイクイップメントによって報告された測定レポートが第１の周波数内測定レポートイベントのトリガによって報告された場合、ユーザーイクイップメントを第２のユーザーイクイップメント群に分類し、又は、ユーザーイクイップメントによって報告された測定レポートが第２の周波数内測定レポートイベントのトリガによって報告された場合、ユーザーイクイップメントが測定を行う前の対応するマイクロセルの数と、第２の周波数内測定レポートイベントをトリガしたマイクロセルの数とを比較するように構成され、ユーザーイクイップメントが測定を行う前の対応するマイクロセルの数が第２の周波数内測定レポートイベントをトリガしたマイクロセルの数よりも大きいとき、ユーザーイクイップメントを第２のユーザーイクイップメント群に分類し、又は、ユーザーイクイップメントが測定を行う前の対応するマイクロセルの数が第２の周波数内測定レポートイベントをトリガしたマイクロセルの数と等しいとき、ユーザーイクイップメントを第１のユーザーイクイップメント群に分類するように構成される。
【００２６】
第２の態様〜第８の可能な実施方式のうちいずれか１つに関して、第９の可能な実施方式では、プロセッサは、更に、ユーザーイクイップメントがユーザーイクイップメントによって報告された測定レポートに従って第１のユーザーイクイップメント群又は第２のユーザーイクイップメント群に分類される前に、且つ、ユーザーイクイップメントによって報告される測定レポートが受信される前に、ユーザーイクイップメントを第１のユーザーイクイップメント群に分類するように構成される。
【００２７】
第７の可能な実施方式〜第９の可能な実施方式のうちいずれか１つに関して、第１０の可能な実施方式では、マクロ基地局は、更に、ユーザーイクイップメントが測定構成に基づいて測定を行えるように、測定構成をユーザーイクイップメントに発送し、ユーザーイクイップメントに対応するマイクロセルが第１の周波数内測定レポートイベント又は第２の周波数内測定レポートイベントをトリガするときに、測定レポートを報告するように構成される送信器を備える。
【００２８】
第７の可能な実施方式〜第９の可能な実施方式のうちいずれか１つに関して、第１０の可能な実施方式では、受信器は、具体的には、ユーザーイクイップメントがユーザーイクイップメントによって報告された測定レポートに従って第１のユーザーイクイップメント群又は第２のユーザーイクイップメント群に分類される前に、無線ネットワークコントローラによって転送されるユーザーイクイップメントの測定レポートを受信するように構成される。測定レポートは、無線ネットワークコントローラによって発送される測定構成に従うユーザーイクイップメントによる測定によって取得され、且つ、ユーザーイクイップメントに対応するマイクロセルが第１の周波数内測定レポートイベント又は第２の周波数内測定レポートイベントをトリガするときに、無線ネットワークコントローラに報告される。
【００２９】
第３の態様によれば、本発明は無線ネットワークコントローラを提供する。本無線ネットワークコントローラは、ユーザーイクイップメントに測定構成を発送するように構成される送信器であって、測定構成は、第１の周波数内測定レポートイベントについての情報と第２の周波数内測定レポートイベントについての情報とを伴い、ユーザーイクイップメントに対応するマイクロセルのパイロット信号が良好であるとき、マイクロセルは第１の周波数内測定レポートイベントをトリガし、マイクロセルのパイロット信号が悪化したとき、マイクロセルは第２の周波数内測定レポートイベントをトリガし、更に、測定構成に従うユーザーイクイップメントによる測定によって取得され且つユーザーイクイップメントによって報告される測定レポートを、マクロ基地局に転送するように構成される送信機と、測定レポートを受信するように構成される受信器と、を備える。
【００３０】
第３の態様に関して、第１の可能な実施方式では、送信器は、更に、受信器が測定レポートを受信した後、測定レポートに従って、第１の周波数内測定レポートイベントをトリガする第１のマイクロセルが第１のユーザーイクイップメントの第２の周波数内測定レポートイベントをトリガする前に、第１のマイクロセルはこれ以上第１のユーザーイクイップメントの第１の周波数内測定レポートイベントをトリガしないことを、第１の周波数内測定レポートイベントを報告する第１のユーザーイクイップメントに通知するように構成され、又は、第２の周波数内測定レポートイベントをトリガする第２のマイクロセルが第２のユーザーイクイップメントの第１の周波数内測定レポートイベントをトリガする前に、第２のマイクロセルはこれ以上第２のユーザーイクイップメントの第２の周波数内測定レポートイベントをトリガしないことを、第２の周波数内測定レポートイベントを報告する第２のユーザーイクイップメントに通知するように構成される。
【００３１】
第４の態様によれば、本発明はユーザーイクイップメントを提供する。本ユーザーイクイップメントは、ネットワーク側から発送される測定構成を受信するように構成される受信器であって、測定構成は、第１の周波数内測定レポートイベントについての情報と第２の周波数内測定レポートイベントについての情報とを伴い、ユーザーイクイップメントに対応するマイクロセルのパイロット信号が良好であるとき、マイクロセルは第１の周波数内測定レポートイベントをトリガし、マイクロセルのパイロット信号が悪化したとき、マイクロセルは第２の周波数内測定レポートイベントをトリガする、受信器と、測定構成に従って測定が行われ、且つ、マイクロセルが第１の周波数内測定レポートイベント及び／又は第２の周波数内測定レポートイベントをトリガするとき、ネットワーク側に測定レポートを報告するように構成される送信器と、を備える。
【００３２】
第５の態様によれば、本発明は、アップリンクリソースを割り当てる方法を提供する。本方法は、マクロ基地局が、ユーザーイクイップメントによって報告される測定レポートを取得するステップと、マクロ基地局が、測定レポートに従って、ユーザーイクイップメントを第１のユーザーイクイップメント群又は第２のユーザーイクイップメント群に分類するステップであって、第１のユーザーイクイップメント群のユーザーイクイップメントのマイクロセルに対する干渉は、第２のユーザーイクイップメント群のユーザーイクイップメントのマイクロセルに対する干渉よりも小さい、ステップと、マクロ基地局が、スケジューリング周期内に、第１のユーザーイクイップメント群のユーザーイクイップメントの数と第２のユーザーイクイップメント群のユーザーイクイップメントの数との比率に基づいて、第１のユーザーイクイップメント群のユーザーイクイップメントと第２のユーザーイクイップメント群のユーザーイクイップメントとに、アップリンクデータ伝送サブフレームを割り当てるステップと、を含む。
【００３３】
第５の態様に関して、第１の可能な実施方式では、マクロ基地局がユーザーイクイップメントを第２のユーザーイクイップメント群に分類した後に、本方法は、更に、マクロ基地局が、第２のユーザーイクイップメント群の各ユーザーイクイップメントによって報告される測定レポートに従って、各ユーザーイクイップメントに対応するマイクロセルをそれぞれ決定するステップであって、各ユーザーイクイップメントは１以上のマイクロセルのエッジに位置する、ステップと、マクロ基地局が、各ユーザーイクイップメントに対応するマイクロセルに従って、各ユーザーイクイップメントをそれぞれ第２のユーザーイクイップメント群の対応する小グループに分類ステップであって、各ユーザーイクイップメントに対応するマイクロセルは、グループ内の１つの小グループに対応する、ステップと、を含む。
【００３４】
第１の可能な実施方式に関して、第２の可能な実施方式では、マクロ基地局が、各ユーザーイクイップメントに対応するマイクロセルに従って、各ユーザーイクイップメントをそれぞれ第２のユーザーイクイップメント群の小グループに分類するステップは、具体的には、マクロ基地局が、各ユーザーイクイップメントに対応するマイクロセルに従って、各ユーザーイクイップメントをそれぞれ第２のユーザーイクイップメント群の通常の小グループに分類するステップであって、通常の小グループと各ユーザーイクイップメントに対応するマイクロセルとは１対１の関係にある、ステップ、を含む。
【００３５】
第１の可能な実施方式に関して、第３の可能な実施方式では、マクロ基地局が、各ユーザーイクイップメントに対応するマイクロセルに従って、各ユーザーイクイップメントをそれぞれ第２のユーザーイクイップメント群の小グループに分類するステップは、具体的には、第２のユーザーイクイップメント群の任意のユーザーイクイップメントが単一のマイクロセルのみのエッジに位置する場合、マクロ基地局が、任意のユーザーイクイップメントを第２のユーザーイクイップメント群の通常の小グループに分類するステップであって、通常の小グループと単一のマイクロセルとは１対１の関係にある、ステップ、又は、任意のユーザーイクイップメントが少なくとも２つのマイクロセルのエッジに位置する場合、マクロ基地局が、任意のユーザーイクイップメントを少なくとも２つのマイクロセルに対応する特定の小グループに分類するステップであって、特定の小グループは通常の小グループ以外の小グループである、ステップ、を含む。
【００３６】
第３の可能な実施方式に関して、第４の可能な実施方式では、マクロ基地局が任意のユーザーイクイップメントを第２のユーザーイクイップメント群の特定の小グループに分類するステップの後に、本方法は、更に、少なくとも２つのマイクロセルに対応する特定の小グループがユーザーイクイップメントを１つしか含まない場合、マクロ基地局が、特定の小グループのユーザーイクイップメントを少なくとも２つのマイクロセルのうち任意のマイクロセルに対応する通常の小グループに分類し、特定の小グループを削除するステップ、を含む。
【００３７】
第２の可能な実施方式〜第４の可能な実施方式のうちいずれか１つに関して、第５の可能な実施方式では、マクロ基地局がユーザーイクイップメントを第２のユーザーイクイップメント群の対応する通常の小グループに分類するステップの後に、本方法は、更に、通常の小グループに１つしかユーザーイクイップメントを含まないユニット小グループが存在する場合、マクロ基地局が、ユニット小グループのユーザーイクイップメントを第１のユーザーイクイップメント群に分類し、ユニット小グループを削除するステップ、を含む。
【００３８】
第１の可能な実施方式〜第５の可能な実施方式のうちいずれか１つに関して、第６の可能な実施方式では、マクロ基地局が、第１のユーザーイクイップメント群のユーザーイクイップメントと第２のユーザーイクイップメント群のユーザーイクイップメントとにアップリンクデータ伝送サブフレームを割り当てるステップの後に、本方法は、更に、マクロ基地局が、第２のユーザーイクイップメント群の各小グループのユーザーイクイップメントの数と第２のユーザーイクイップメント群のユーザーイクイップメントの数との比率に従って、第２のユーザーイクイップメント群に割り当てられたアップリンクデータ伝送サブフレームを、第２のユーザーイクイップメント群の各小グループのユーザーイクイップメントに割り当てるステップ、を含む。
【００３９】
第５の態様〜第６の可能な実施方式のうちいずれか１つに関して、第７の可能な実施方式では、測定レポートは、ユーザーイクイップメントが測定構成に従って測定を行うことによって取得され、且つ、ユーザーイクイップメントによって報告される。測定構成は、第１の周波数内測定レポートイベントについての情報と第２の周波数内測定レポートイベントについての情報とを伴う。ユーザーイクイップメントに対応するマイクロセルのパイロット信号が良好であるとき、マイクロセルは第１の周波数内測定レポートイベントをトリガし、第１のマイクロセルのパイロット信号が悪化したとき、マイクロセルは第２の周波数内測定レポートイベントをトリガする。
【００４０】
第７の可能な実施方式に関して、第８の可能な実施方式では、マクロ基地局が、測定レポートに従って、ユーザーイクイップメントを第１のユーザーイクイップメント群又は第２のユーザーイクイップメント群に分類するステップは、具体的には、ユーザーイクイップメントによって報告された測定レポートが第１の周波数内測定レポートイベントのトリガによって報告された場合、マクロ基地局が、ユーザーイクイップメントを第２のユーザーイクイップメント群に分類するステップ、又は、ユーザーイクイップメントによって報告された測定レポートが第２の周波数内測定レポートイベントのトリガによって報告された場合、マクロ基地局が、ユーザーイクイップメントが測定を行う前の対応するマイクロセルの数と、第２の周波数内測定レポートイベントをトリガしたマイクロセルの数とを比較し、ユーザーイクイップメントが測定を行う前の対応するマイクロセルの数が第２の周波数内測定レポートイベントをトリガしたマイクロセルの数よりも大きいとき、マクロ基地局が、ユーザーイクイップメントを第２のユーザーイクイップメント群に分類し、若しくは、ユーザーイクイップメントが測定を行う前の対応するマイクロセルの数が第２の周波数内測定レポートイベントをトリガしたマイクロセルの数と等しいとき、マクロ基地局が、ユーザーイクイップメントを第１のユーザーイクイップメント群に分類するステップ、を含む。
【００４１】
第５の態様〜第８の可能な実施方式のうちいずれか１つに関して、第９の可能な実施方式では、マクロ基地局が、ユーザーイクイップメントによって報告された測定レポートに従って、ユーザーイクイップメントを第１のユーザーイクイップメント群又は第２のユーザーイクイップメント群に分類するステップの前に、本方法は、更に、ユーザーイクイップメントによって報告される測定レポートを取得する前に、マクロ基地局が、ユーザーイクイップメントを第１のユーザーイクイップメント群に分類するステップ、を含む。
【００４２】
第７の可能な実施方式〜第９の可能な実施方式のうちいずれか１つに関して、第１０の可能な実施方式では、マクロ基地局がユーザーイクイップメントによって報告される測定レポートを取得するステップは、マクロ基地局が、測定構成をユーザーイクイップメントに発送するステップと、マクロ基地局が、ユーザーイクイップメントによる測定構成に基づく測定によって取得され、且つユーザーイクイップメントに対応するマイクロセルが第１の周波数内測定レポートイベント又は第２の周波数内測定レポートイベントをトリガするときに報告される測定レポートを受信するステップと、を含む。
【００４３】
第７の可能な実施方式〜第９の可能な実施方式のうちいずれか１つに関して、第１０の可能な実施方式では、マクロ基地局がユーザーイクイップメントによって報告される測定レポートを取得するステップは、マクロ基地局が、無線ネットワークコントローラによって転送されるユーザーイクイップメントの測定レポートを受信するステップであって、測定レポートは、無線ネットワークコントローラによって発送される測定構成に従うユーザーイクイップメントによる測定によって取得され、且つ、ユーザーイクイップメントに対応するマイクロセルが第１の周波数内測定レポートイベント又は第２の周波数内測定レポートイベントをトリガするときに、無線ネットワークコントローラに報告される、ステップ、を含む。
【００４４】
第６の態様によれば、本発明はアップリンクリソースを割り当てるシステムを提供する。本システムは、ユーザーイクイップメントに測定構成を発送するように構成され、更に、ユーザーイクイップメントによって報告される測定レポートを受信し、測定レポートをマクロ基地局に転送するように構成される無線ネットワークコントローラを備える。測定レポートは、ユーザーイクイップメントに対応するマイクロセルが第１の周波数内測定レポートイベント又は第２の周波数内測定レポートイベントをトリガするときに、ユーザーイクイップメントによって報告される。マクロ基地局は、無線ネットワークコントローラからの測定レポートに従って、ユーザーイクイップメントを第１のユーザーイクイップメント群又は第２のユーザーイクイップメント群に分類するように構成され、第２のユーザーイクイップメント群のユーザーイクイップメントはマイクロセルのエッジに位置し、且つソフトハンドオーバー領域内には位置せず、第２のユーザーイクイップメント群のユーザーイクイップメントとからマクロ基地局までの距離は、第１のユーザーイクイップメント群のユーザーイクイップメントから当該マクロ基地局までの距離よりも長く、且つ、スケジューリング周期内に、第１のユーザーイクイップメント群のユーザーイクイップメントの数と第２のユーザーイクイップメント群のユーザーイクイップメントの数との比率に基づいて、第１のユーザーイクイップメント群のユーザーイクイップメントと第２のユーザーイクイップメント群のユーザーイクイップメントとにアップリンクデータ伝送サブフレームを割り当てるように構成される。
【００４５】
第６の態様に関して、第１の可能な実施方式では、マクロ基地局は、更に、ユーザーイクイップメントを第２のユーザーイクイップメント群に分類した後、第２のユーザーイクイップメント群の各ユーザーイクイップメントによって報告される測定レポートに従って、各ユーザーイクイップメントに対応するマイクロセルをそれぞれ決定するように構成され、各ユーザーイクイップメントは１以上のマイクロセルのエッジに位置し、且つ、各ユーザーイクイップメントに対応するマイクロセルに従って、各ユーザーイクイップメントをそれぞれ第２のユーザーイクイップメント群の対応する小グループに分類するように構成され、各ユーザーイクイップメントに対応するマイクロセルは、グループ内の１つの小グループに対応する。
【００４６】
第１の可能な実施方式に関して、第２の可能な実施方式では、マクロ基地局は、具体的には、各ユーザーイクイップメントに対応するマイクロセルに従って、各ユーザーイクイップメントをそれぞれ第２のユーザーイクイップメント群の通常の小グループに分類するように構成される。通常の小グループと各ユーザーイクイップメントに対応するマイクロセルとは１対１の関係にある。
【００４７】
第１の可能な実施方式に関して、第３の可能な実施方式では、マクロ基地局は、具体的には、第２のユーザーイクイップメント群の任意のユーザーイクイップメントが単一のマイクロセルのみのエッジに位置する場合、任意のユーザーイクイップメントを第２のユーザーイクイップメント群の通常の小グループに分類するように構成され、通常の小グループと単一のマイクロセルとは１対１の関係にあり、又は、任意のユーザーイクイップメントが少なくとも２つのマイクロセルのエッジに位置する場合、任意のユーザーイクイップメントを少なくとも２つのマイクロセルに対応する特定の小グループに分類するように構成され、特定の小グループは通常の小グループ以外の小グループである。
【００４８】
第３の可能な実施方式に関して、第４の可能な実施方式では、マクロ基地局は、更に、任意のユーザーイクイップメントを少なくとも２つのマイクロセルに対応する特定の小グループに分類した後、特定の小グループがユーザーイクイップメントを１つしか含まない場合、特定の小グループのユーザーイクイップメントを、少なくとも２つのマイクロセルのうち任意のマイクロセルに対応する通常の小グループに分類し、特定の小グループを削除するように構成される。
【００４９】
第２の可能な実施方式〜第４の可能な実施方式のうちいずれか１つに関して、第５の可能な実施方式では、マクロ基地局は、更に、ユーザーイクイップメントを第２のユーザーイクイップメント群の対応する通常の小グループに分類した後、通常の小グループに１つしかユーザーイクイップメントを含まないユニット小グループが存在する場合、ユニット小グループのユーザーイクイップメントを第１のユーザーイクイップメント群に分類し、ユニット小グループを削除するように構成される。
【００５０】
第１の可能な実施方式〜第５の可能な実施方式のうちいずれか１つに関して、第６の可能な実施方式では、マクロ基地局は、更に、第１のユーザーイクイップメント群のユーザーイクイップメントと第２のユーザーイクイップメント群のユーザーイクイップメントとにアップリンクデータ伝送サブフレームを割り当てた後、第２のユーザーイクイップメント群の各小グループのユーザーイクイップメントの数と第２のユーザーイクイップメント群のユーザーイクイップメントの数との比率に従って、第２のユーザーイクイップメント群に割り当てられたアップリンクデータ伝送サブフレームを、第２のユーザーイクイップメント群の各小グループのユーザーイクイップメントに割り当てるように構成される。
【００５１】
第６の態様〜第６の可能な実施方式のうちいずれか１つに関して、第７の可能な実施方式では、測定レポートは、ユーザーイクイップメントが測定構成に従って測定を行うことによって取得され、且つ、ユーザーイクイップメントによって報告される。測定構成は、第１の周波数内測定レポートイベントについての情報と第２の周波数内測定レポートイベントについての情報とを伴う。ユーザーイクイップメントに対応するマイクロセルのパイロット信号が良好であるとき、マイクロセルは第１の周波数内測定レポートイベントをトリガし、マイクロセルのパイロット信号が悪化したとき、マイクロセルは第２の周波数内測定レポートイベントをトリガする。
【００５２】
第７の可能な実施方式に関して、第８の可能な実施方式では、マクロ基地局は、具体的には、ユーザーイクイップメントによって報告された測定レポートが第１の周波数内測定レポートイベントのトリガによって報告された場合、ユーザーイクイップメントを第２のユーザーイクイップメント群に分類し、又は、ユーザーイクイップメントによって報告された測定レポートが第２の周波数内測定レポートイベントのトリガによって報告された場合、ユーザーイクイップメントが測定を行う前の対応するマイクロセルの数と、第２の周波数内測定レポートイベントをトリガしたマイクロセルの数とを比較するように構成され、ユーザーイクイップメントが測定を行う前の対応するマイクロセルの数が第２の周波数内測定レポートイベントをトリガしたマイクロセルの数よりも大きいとき、ユーザーイクイップメントを第２のユーザーイクイップメント群に分類し、又は、ユーザーイクイップメントが測定を行う前の対応するマイクロセルの数が第２の周波数内測定レポートイベントをトリガしたマイクロセルの数と等しいとき、ユーザーイクイップメントを第１のユーザーイクイップメント群に分類するように構成される。
【００５３】
第６の態様〜第８の可能な実施方式のうちいずれか１つに関して、第９の可能な実施方式では、マクロ基地局は、更に、ユーザーイクイップメントがユーザーイクイップメントによって報告された測定レポートに従って第１のユーザーイクイップメント群又は第２のユーザーイクイップメント群に分類される前に、且つ、ユーザーイクイップメントによって報告される測定レポートが受信される前に、ユーザーイクイップメントを第１のユーザーイクイップメント群に分類するように構成される。
【００５４】
本発明の有益な効果は以下のとおりである。
【００５５】
本発明において提供されるアップリンクリソースを割り当てる方法、装置及びシステム並びにマクロ基地局によれば、マクロ基地局が、ユーザーイクイップメントによって報告される測定レポートに従って、ユーザーイクイップメントを第１のユーザーイクイップメント群又は第２のユーザーイクイップメント群に分類する。第２のユーザーイクイップメント群のユーザーイクイップメントはマイクロセルのエッジに位置し、且つソフトハンドオーバー領域内には位置せず、第２のユーザーイクイップメント群のユーザーイクイップメントとからマクロ基地局までの距離は、第１のユーザーイクイップメント群のユーザーイクイップメントから当該マクロ基地局までの距離より長い。また、マクロ基地局が、第１のユーザーイクイップメント群のユーザーイクイップメントの数と第２のユーザーイクイップメント群のユーザーイクイップメントの数との比率に基づいて、第１のユーザーイクイップメント群のユーザーイクイップメントと第２のユーザーイクイップメント群のユーザーイクイップメントとにアップリンクデータ伝送サブフレームを割り当てる。このように、マクロ基地局は、マイクロセルと干渉するアップリンクユーザーイクイップメントを第２のユーザーイクイップメント群に分類し、アップリンクデータ伝送サブフレームの一部のサブフレームを意図的に第２のユーザーイクイップメント群に割り当て、よって、マイクロ基地局との深刻な干渉を生じるマクロ基地局のアップリンクユーザーイクイップメントを、マクロ基地局により同じサブフレームにスケジューリングできるようにする。これにより、時間スケール上の干渉のアラインメントが達成され、マイクロ基地局と深刻な干渉を生じるサブフレームの数が減少し、マクロ基地局のユーザーイクイップメントがマクロ基地局のユーザーイクイップメント付近のマイクロセルに対してアップリンク干渉を生じるという従来技術に存在する技術的問題が効果的に解決される。したがって、マイクロセルのアップリンク容量が低減され、これにより、マイクロ基地局のアップリンクユーザーイクイップメントの全体的な性能を向上させる。
【図面の簡単な説明】
【００５６】
【図１】本発明の実施形態に係るアップリンクリソース割当てのフローチャートである。
【図２】本発明の実施形態に係るマクロ基地局の機能ブロック図である。
【図３】本発明の実施形態に係る、アップリンクリソースを割り当てる装置の機能ブロック図である。
【図４】本発明の実施形態に係る、アップリンクリソースを割り当てる方法のフローチャートである。
【発明を実施するための形態】
【００５７】
以下、添付の図面と具体的な実施形態を参照して、本発明の技術的解決策を詳述する。本発明の実施形態及び実施形態における具体的な特徴は、本発明の技術的解決策を詳述する目的のものであり、本発明の技術的解決策を限定するものではないことを理解されたい。本発明の実施形態及び実施形態における技術的特徴は、互いに矛盾しなければ、相互に組み合わされてよい。
【００５８】
以下、添付の図面を参照しながら、本発明の好ましい実施方式を詳述する。
【００５９】
本願の実施形態は、アップリンクリソースを割り当てるシステムを提供する。実際の応用では、本システムは２以上のシステムアーキテクチャを有してよい。
【００６０】
第１のシステムアーキテクチャでは、システムはＵＴＭＳシステムであってよい。システムは、無線ネットワークコントローラ（ＲＮＣ，Radio  Network  Controller）及びマクロ基地局を含む。ＲＮＣは、ユーザーイクイップメントに測定構成を発送するように構成され、更に、ユーザーイクイップメントによって報告される測定レポートを受信し、測定レポートをマクロ基地局に転送するように構成される。マクロ基地局は、ＲＮＣからの測定レポートに従って、ユーザーイクイップメントを第１のユーザーイクイップメント群又は第２のユーザーイクイップメント群に分類するように構成される。第２のユーザーイクイップメント群のユーザーイクイップメントはマイクロセルのエッジに位置し、且つソフトハンドオーバー領域内には位置しない。第２のユーザーイクイップメント群のユーザーイクイップメントとからマクロ基地局までの距離は、第１のユーザーイクイップメント群のユーザーイクイップメントから当該マクロ基地局までの距離よりも長い。マクロ基地局は、更に、スケジューリング周期内に、第１のユーザーイクイップメント群のユーザーイクイップメントの数と第２のユーザーイクイップメント群のユーザーイクイップメントの数との比率に基づいて、第１のユーザーイクイップメント群のユーザーイクイップメントと第２のユーザーイクイップメント群のユーザーイクイップメントとにアップリンクデータ伝送サブフレームを割り当てるように構成される。
【００６１】
第２のシステムアーキテクチャでは、システムはＬＴＥシステムであってよい。システムはマクロ基地局を含む。マクロ基地局は、ユーザーイクイップメントに測定構成を発送するように構成され、更に、ユーザーイクイップメントによって報告される測定レポートを受信し、ユーザーイクイップメントからの測定レポートに従って、ユーザーイクイップメントを第１のユーザーイクイップメント群又は第２のユーザーイクイップメント群に分類するように構成される。第２のユーザーイクイップメント群のユーザーイクイップメントはマイクロセルのエッジに位置し、且つソフトハンドオーバー領域内には位置しない。第２のユーザーイクイップメント群のユーザーイクイップメントとからマクロ基地局までの距離は、第１のユーザーイクイップメント群のユーザーイクイップメントから当該マクロ基地局までの距離よりも長い。また、マクロ基地局は、スケジューリング周期内に、第１のユーザーイクイップメント群のユーザーイクイップメントの数と第２のユーザーイクイップメント群のユーザーイクイップメントの数との比率に基づいて、第１のユーザーイクイップメント群のユーザーイクイップメントと第２のユーザーイクイップメント群のユーザーイクイップメントとにアップリンクデータ伝送サブフレームを割り当てるように構成される。
【００６２】
当然ながら、実際の応用では、別のシステムアーキテクチャが存在してもよく、本願では具体的に限定されない。留意すべきこととして、上記測定レポートの各々は、ユーザーイクイップメントに対応するマイクロセルが第１の周波数内測定レポートイベント又は第２の周波数内測定レポートイベントをトリガするときにユーザーイクイップメントによって報告される。上記周波数内測定レポートイベントがトリガされない場合、ユーザーイクイップメントは、まだ定期的に、又はイベントのトリガにより、別の測定イベントの測定レポートを報告してよい。この場合、マクロ基地局は、これらのユーザーイクイップメントを第１のユーザーイクイップメント群に分類する。
【００６３】
以上のシステムの作業手順を、ＵＴＭＳシステムを例に挙げて説明する。
【００６４】
図１を参照する。最初に、ＲＮＣが、マクロ基地局にアクセスするアップリンクユーザーイクイップメント、すなわちCELL_DCH状態のユーザーイクイップメントに測定構成を送信する。測定構成は、ＲＮＣによって定義される２つの周波数内測定レポートイベント、すなわち第１の周波数内測定レポートイベントEvent  1A0及び第２の周波数内測定レポートイベントEvent  1b0を搬送する。
【００６５】
Event  1A0は、ユーザーイクイップメントが第１のユーザーイクイップメント群から第２のユーザーイクイップメント群に変更されることを報告するのに用いられ、Event  1b0は、第２のユーザーイクイップメント群から第１のユーザーイクイップメント群に変更されることを報告するのに用いられる。ここで、第２のユーザーイクイップメント群のユーザーイクイップメントからマクロ基地局までの距離は、第１のユーザーイクイップメント群のユーザーイクイップメントからマクロ基地局までの距離より長い。第２のユーザーイクイップメント群のユーザーイクイップメントはマイクロセルのエッジに位置し、且つソフトハンドオーバー領域内には位置しない。
【００６６】
具体的な実施プロセスでは、ＲＮＣが測定レポートを発送した後、全てのユーザーイクイップメントに対応するマイクロセルがどれも、新しく定義された周波数内測定レポートイベント1a0，1b0をトリガしないことがあり得る。したがって、ユーザーイクイップメントが１回目に報告したEvent  1a0及びEvent  1b0に関する測定レポートを受信する前に、マクロ基地局は、全てのユーザーイクイップメントを第１のユーザーイクイップメント群に分類する。そして、ユーザーイクイップメントは、上記測定構成に従って測定を行い、測定レポートをＲＮＣに報告する。周波数内測定レポートイベントのトリガの結果をＲＮＣ及びマクロ基地局に報告するために、測定レポートは、トリガされるイベントの識別子等の、上記周波数内測定レポートイベントをトリガする周波数内測定レポートイベント情報を搬送してよい。
【００６７】
任意に、前記ユーザーイクイップメントに対応するマイクロセルのパイロット信号が良好であるとき、マイクロセルはユーザーイクイップメントのEvent  1a0をトリガする。マイクロセルのパイロット信号が悪化したとき、マイクロセルはユーザーイクイップメントのEvent  1b0をトリガする。
【００６８】
任意に、パイロット信号の品質は、共通パイロットチャネル（Common  Pilot  Channel，ＣＰＩＣＨ）の受信信号コード電力（Received  Signal  Code  Power，ＲＳＣＰ）、又は、ＣＰＩＣＨのチップ当たりの受信エネルギーを帯域内の電力密度で除した値、即ちＥｂ／Ｎ０によって表されてよい。ＲＳＣＰが大きくなるかＥｂ／Ｎ０が大きくなると、パイロット信号が良好になることを示す。又は、ＲＳＣＰが小さくなるかＥｂ／Ｎ０が小さくなると、パイロット信号が悪化することを示す。
【００６９】
任意に、マイクロセルは、ユーザーイクイップメントに対応するマイクロセルのパイロット信号がある程度良好になったときのみ、すなわち数式（１）を満たすときのみ、ユーザーイクイップメントのEvent  1a0をトリガする。数式（１）を以下に示す。
【数１】
2017501635.tif 000003
【００７０】
同様に、マイクロセルは、ユーザーイクイップメントに対応するマイクロセルのパイロット信号がある程度悪化したときのみ、すなわち、数式（２）を満たすときのみ、ユーザーイクイップメントのEvent  1b0をトリガする。数式（２）を以下に示す。
【数２】
2017501635.tif 000004
式中、MNewはレポート範囲に入るマイクロ基地局パイロット信号の測定結果であり、CIONewはレポート範囲に入るマイクロ基地局の特定オフセット（Individual  Cell  Offset）であり、PCOは高干渉ユーザーイクイップメントを判別するための定数であり、定数が小さいほど、ユーザーイクイップメントが対応するマイクロ基地局に対して生じる干渉が強いことを示す。Miはアクティブセットのセルのパイロットの測定結果であり、NAは現在のアクティブセットに含まれるセルの数であり、MBestはアクティブセットのうち信号が最も強いセルのパイロット信号の測定結果であり、ＷはＲＮＣがユーザーイクイップメントに送る重み係数であり、R1a0はレポート範囲定数であり、H1a0はEvent  1a0のヒステリシス値であり、R1b0はレポート範囲定数であり、数値上R1a0＝R1b0であり、H1b0はEvent  1b0のヒステリシス値である。
【００７１】
そして、マイクロセルＡがユーザーイクイップメントのEvent  1a0をトリガする場合、ユーザーイクイップメントの測定レポートは、マイクロセルの識別子：ID＝aと、第１の周波数内測定レポートイベントについての情報：Event＝1a0を搬送する。同様に、マイクロセルＡがユーザーイクイップメントのEvent  1b0をトリガする場合、ユーザーイクイップメントの測定レポートは、マイクロセルの識別子：ID＝aと、第２の周波数内測定レポートイベントについての情報：Event＝1b0を搬送する。
【００７２】
次に、上記測定レポートを受信した後、ＲＮＣはＩｕｂインターフェースを用いて、測定レポートをマクロ基地局に転送する。
【００７３】
任意に、マイクロセルが第１の周波数内測定レポートイベント又は第２の周波数内測定レポートイベントを継続的にトリガするのを防ぐために、無線ネットワークコントローラは、上記測定レポートを受信した後、更に、測定レポートに従って、ユーザーイクイップメントの第１の周波数内測定レポートイベントをトリガするマイクロセルがユーザーイクイップメントの第２の周波数内測定レポートイベントをトリガする前に、該マイクロセルはこれ以上ユーザーイクイップメントの第１の周波数内測定レポートイベントをトリガしないが、別のマイクロセルがユーザーイクイップメントの第１の周波数内測定レポートをトリガする可能性があることを、第１の周波数内測定レポートイベントを報告するユーザーイクイップメントに通知してよく、また、ユーザーイクイップメントの第２の周波数内測定レポートイベントをトリガするマイクロセルがユーザーイクイップメントの第１の周波数内測定レポートイベントをトリガする前に、該マイクロセルはこれ以上ユーザーイクイップメントの第２の周波数内測定レポートイベントをトリガしないが、別のマイクロセルがユーザーイクイップメントの第２の周波数内測定レポートイベントをトリガする可能性があることを、第２の周波数内測定レポートイベントを報告するユーザーイクイップメントに通知してよい。
【００７４】
例えば、マイクロセルａがユーザーイクイップメントＡのEvent  1a0をトリガする場合、マイクロセルａは、ユーザーイクイップメントＡのEvent  1b0をトリガする前にユーザーイクイップメントＡのEvent  1a0を再トリガすることができない。マイクロセルａがユーザーイクイップメントＡのEvent  1b0をトリガした後にのみ、マイクロセルａはユーザーイクイップメントＡのEvent  1a0を再トリガすることができる。同様に、マイクロセルｂはユーザーイクイップメントＡのEvent  1b0をトリガする。ちょうど測定構成が開始したとき、マイクロセルはEvent  1b0をトリガすることができず、Event  1a0をトリガしたマイクロセルのみが、対応するEvent  1b0をトリガすることができる。したがって、ユーザーイクイップメントＡのEvent  1a0をトリガする前に、マイクロセルｂは、ユーザーイクイップメントＡのEvent  1b0を再トリガすることができない。マイクロセルｂがユーザーイクイップメントＡのEvent  1a0をトリガした後にのみ、マイクロセルｂはユーザーイクイップメントＡのEvent  1b0を再トリガすることができる。異なるマイクロセル間のイベントのトリガは互いに独立し、互いに影響されない。
【００７５】
更に、マクロ基地局は、ＲＮＣからの測定レポートに従って、ユーザーイクイップメントを第１のユーザーイクイップメント群又は第２のユーザーイクイップメント群に分類する。
【００７６】
任意に、ユーザーイクイップメントによって報告された測定レポートが第１の周波数内測定レポートイベントのトリガによって報告された場合、例えば、測定レポートは、マイクロセルの識別子と、第１の周波数内測定レポートイベントの情報：Event＝1a0とを搬送し、マクロ基地局は、ユーザーイクイップメントを第２のユーザーイクイップメント群に分類する。又は、ユーザーイクイップメントによって報告された測定レポートが第２の周波数内測定レポートイベントのトリガによって報告された場合、例えば、測定レポートは、マイクロセルの識別子と、第２の周波数内測定レポートイベントについての情報：Event＝1b0とを搬送し、マクロ基地局は、ユーザーイクイップメントが測定を行う前の対応するマイクロセルの数と、第２の周波数内測定レポートイベントをトリガしたマイクロセルの数とを比較する。ユーザーイクイップメントが測定を行う前の対応するマイクロセルの数が第２の周波数内測定レポートイベントをトリガしたマイクロセルの数よりも大きいとき、マクロ基地局は、ユーザーイクイップメントを第２のユーザーイクイップメント群に分類する。又は、ユーザーイクイップメントが測定を行う前の対応するマイクロセルの数が第２の周波数内測定レポートイベントをトリガしたマイクロセルの数と等しいとき、マクロ基地局はユーザーイクイップメントを第１のユーザーイクイップメント群に分類する。
【００７７】
例えば、測定レポートを報告する前に、ユーザーイクイップメントＡはマイクロセルａ及びｂのエッジに位置し、これら２つのセルの高干渉ユーザーイクイップメントである。すなわち、ユーザーイクイップメントＡはマイクロセルａ及びｂに対応する。したがって、マクロ基地局が受信したユーザーイクイップメントＡによって報告された測定レポートにおいて、第２の周波数内測定レポートイベントについての情報：Event＝1b0を搬送するマイクロセルａのみが存在する場合、すなわち、ユーザーイクイップメントＡがマイクロセルａの通常のユーザーイクイップメントであるが、依然としてマイクロセルｂの高干渉ユーザーイクイップメントである場合、すなわち、ユーザーイクイップメントＡが測定を実行する前の対応するマイクロセルの数は、第２の周波数内測定レポートイベントをトリガしたマイクロセルの数よりも大きい。この場合、マクロ基地局はまだユーザーイクイップメントＡを第２のユーザーイクイップメント群に分類する。又は、マクロ基地局が受信したユーザーイクイップメントＡによって報告された測定レポートにおいて、第２の周波数内測定レポートイベントについての情報：Event＝1b0を搬送するマイクロセルａ及びｂが存在する場合、すなわち、ユーザーイクイップメントＡがマイクロセルａ及びマイクロセルｂの通常のユーザーイクイップメントである場合、すなわち、ユーザーイクイップメントＡが測定を実行する前の対応するマイクロセルの数が第２の周波数内測定レポートイベントをトリガしたマイクロセルの数と等しい。この場合、マクロ基地局はまだユーザーイクイップメントＡを第１のユーザーイクイップメント群に分類する。
【００７８】
最後に、スケジューリング周期が到達したとき、マクロ基地局が、スケジューリング周期内に、第１のユーザーイクイップメント群のユーザーイクイップメントの数と第２のユーザーイクイップメント群のユーザーイクイップメントの数との比率に基づいて、第１のユーザーイクイップメント群のユーザーイクイップメントと第２のユーザーイクイップメント群のユーザーイクイップメントとに、アップリンクデータ伝送サブフレームを割り当てる。
【００７９】
例えば、マクロ基地局は合計でＮ個のアップリンクデータ伝送サブフレームを有し、第１のユーザーイクイップメント群のユーザーイクイップメントの数：第２のユーザーイクイップメント群のユーザーイクイップメントの数＝ｋ：１である。したがって、マクロ基地局は、第１のユーザーイクイップメント群のユーザーイクイップメントに
【数３】
2017501635.tif 000005
個のアップリンクデータ伝送サブフレームを割り当て、第２のユーザーイクイップメント群のユーザーイクイップメントに
【数４】
2017501635.tif 000006
個のアップリンクデータ伝送サブフレームを割り当てる。Ｎは正の整数であり、ｋは０以上である。
【００８０】
アップリンクリソースが割り当てられた後、マクロ基地局は、特定のスケジューリング規則（例えばラウンドロビン・スケジューリング）に従って、第１のユーザーイクイップメント群と第２のユーザーイクイップメント群のユーザーイクイップメントをスケジューリングする。
【００８１】
更に、マクロ基地局がユーザーイクイップメントを２つの大きな群、すなわち第１のユーザーイクイップメント群及び第２のユーザーイクイップメント群にグループ化した後、マクロ基地局のカバレッジエリア内に複数のマイクロセルが存在し得るので、マクロ基地局は、第２のユーザーイクイップメント群の各ユーザーイクイップメントによって報告される測定レポートに従って、各ユーザーイクイップメントに対応するマイクロセルをそれぞれ決定する。各ユーザーイクイップメントは１以上のマイクロセルのエッジに位置する。また、マクロ基地局は、各ユーザーイクイップメントに対応するマイクロセルに従って、各ユーザーイクイップメントをそれぞれ第２のユーザーイクイップメント群の対応する小グループに分類する。各ユーザーイクイップメントに対応するマイクロセルは、グループ内の１つの小グループに対応する。
【００８２】
任意に、第２のユーザーイクイップメント群のユーザーイクイップメントは、少なくとも１つのマイクロセルのエッジに位置する。そして、マクロ基地局は、第２のユーザーイクイップメント群のユーザーイクイップメントによって報告されたマイクロ基地局に従って、各ユーザーイクイップメントが位置するマイクロセルのエッジを決定することができる。１以上のマイクロセルは、ユーザーイクイップメントに対応するマイクロセルである。そして、マクロ基地局は更に、各ユーザーイクイップメントに対応するマイクロセルに従って、第２のユーザーイクイップメント群を小グループに分割してよい。
【００８３】
任意に、上記小グループは、マクロ基地局が実施されるときのカバレッジエリア内のマイクロセルの数に従ってグループ化されてよく、或いは、ユーザーイクイップメントの測定レポートに従って動的に生成されてよく、本願では具体的に限定されない。
【００８４】
本実施形態では、小グループのグループ化の上記手続きは、限定ではないが、以下の２つのケースを含んでよい。
【００８５】
第１のケースでは、第２のユーザーイクイップメント群において、各ユーザーイクイップメントが１つのマイクロセルにのみ対応し得る。そして、マクロ基地局は、各ユーザーイクイップメントに対応するマイクロセルに従って、各ユーザーイクイップメントをそれぞれ第２のユーザーイクイップメント群の通常の小グループに分類する。通常の小グループと各ユーザーイクイップメントに対応するマイクロセルとは１対１の関係にある。例えば、第２のユーザーイクイップメント群では、ユーザーイクイップメント１がマイクロセルａのエッジに位置し、ユーザーイクイップメント２がマイクロセルｂのエッジに位置し、ユーザーイクイップメント３もマイクロセルａのエッジに位置し、ユーザーイクイップメント４がマイクロセルｃのエッジに位置する。そして、マクロ基地局は、マイクロセルａに対応する通常の小グループａにユーザーイクイップメント１及びユーザーイクイップメント３を分類し、マイクロセルｂに対応する通常の小グループｂにユーザーイクイップメント２を分類し、マイクロセルｃに対応する通常の小グループｃにユーザーイクイップメント４を分類する。
【００８６】
第２のケースでは、第２のユーザーイクイップメント群の任意のユーザーイクイップメントが単一のマイクロセルのみのエッジに位置する場合、マクロ基地局は、任意のユーザーイクイップメントを第２のユーザーイクイップメント群の通常の小グループに分類する。通常の小グループと単一のマイクロセルとは１対１の関係にある。又は、任意のユーザーイクイップメントが少なくとも２つのマイクロセルのエッジに位置する場合、マクロ基地局は、上記少なくとも２つのマイクロセルに対応する特定の小グループに任意のユーザーイクイップメントを分類する。特定の小グループは通常の小グループ以外の小グループである。
【００８７】
例えば、第２のユーザーイクイップメント群では、ユーザーイクイップメント１がマイクロセルａのエッジに位置し、ユーザーイクイップメント２がマイクロセルｂのエッジに位置し、ユーザーイクイップメント３がマイクロセルｃとｆの両方のエッジに位置し、ユーザーイクイップメント４がマイクロセルｄとｆのエッジに位置する。そして、マクロ基地局は、マイクロセルａに対応する通常の小グループａにユーザーイクイップメント１を分類し、マイクロセルｂに対応する通常の小グループｂにユーザーイクイップメント２を分類し、マイクロセルｃ及びｆに対応する特定の小グループｃｆにユーザーイクイップメント３を分類し、マイクロセルｄ及びｆに対応する特定の小グループｄｆにユーザーイクイップメント４を分類する。
【００８８】
実際の応用では、別のグループ化方針が存在してよく、本願では具体的に限定されない。
【００８９】
更に、マクロ基地局がグループ分類を完了した後、グループ化を最適化するために、上記第２のケースでは、上記特定の小グループがユーザーイクイップメントを１つしか含まない場合、マクロ基地局は、特定の小グループのユーザーイクイップメントを少なくとも２つのマイクロセルのうち任意のマイクロセルに対応する通常の小グループに分類し、特定の小グループを削除する。
【００９０】
例えば、マクロ基地局が全てのユーザーイクイップメント及び小グループを分類した後、特定の小グループｃｆがマイクロセルｃとマイクロセルｆの両方のエッジに位置するユーザーイクイップメント３のみを含む場合、マクロ基地局は、マイクロセルｃに対応する通常の小グループｃ又はマイクロセルｆに対応する通常の小グループｆにユーザーイクイップメント３を分類し、特定の小グループｃｆを削除する。
【００９１】
上記第１のケース及び／又は第２のケースでは、マクロ基地局がグループ分類を完了した後、グループ化を最適化するために、マクロ基地局がユーザーイクイップメントを第２のユーザーイクイップメント群の通常の小グループに分類した後、通常の小グループに１つしかユーザーイクイップメントを含まないユニット小グループが存在する場合、マクロ基地局は更に、ユニット小グループのユーザーイクイップメントを第１のユーザーイクイップメント群に分類し、ユニット小グループを削除してよい。
【００９２】
例えば、マクロ基地局が全てのユーザーイクイップメント及び小グループを分類した後、通常の小グループａがユーザーイクイップメント１のみを含む場合、通常の小グループａはユニット小グループである。マクロ基地局は、小グループのユーザーイクイップメント１を第１のユーザーイクイップメント群に分類し、通常の小グループａを削除する。
【００９３】
この時点で、マクロ基地局は、ユーザーイクイップメントのグループ分類を完了する。
【００９４】
次に、マクロ基地局は、アップリンクデータ伝送サブフレームを小グループに割り当てる。
【００９５】
具体的には、アップリンクデータ伝送サブフレームを第２のユーザーイクイップメント群に割り当てた後、マクロ基地局は、第２のユーザーイクイップメント群の各小グループのユーザーイクイップメントの数と第２のユーザーイクイップメント群のユーザーイクイップメントの数との比率に従って、第２のユーザーイクイップメント群に割り当てられたアップリンクデータ伝送サブフレームを、第２のユーザーイクイップメント群の各小グループのユーザーイクイップメントに割り当てる。マクロ基地局は、アップリンクデータ伝送サブフレームを通常のサブフレーム及び高干渉サブフレームに分類してよい。マクロ基地局がグループ化を完了した後、マクロ基地局は、通常のサブフレーム及び高干渉サブフレームのパターンを決定する。例えば、各スケジューリング周期内において、サブフレームの前のセグメントが高干渉サブフレームであり、サブフレームの次のセグメントが通常のサブフレームであると設定される。マクロ基地局は、Ｉｕｂインターフェースを用いて、通常のサブフレームと高干渉サブフレームとの比率と、通常のサブフレーム及び高干渉サブフレームのパターンとを、ＲＮＣに送信する。そしてＲＮＣは、Ｉｕｂインターフェースを用いて、対応するマイクロ基地局に比率及びパターンを送信する。
【００９６】
例えば、以前にマクロ基地局がＸ個のアップリンクデータ伝送サブフレームを第２のユーザーイクイップメント群のＹ個のユーザーイクイップメントに割り当て、第２のユーザーイクイップメント群の通常の小グループａがＳ個のユーザーイクイップメントを含む場合、マクロ基地局は
【数５】
2017501635.tif 000007
個のアップリンクデータ伝送サブフレームを通常の小グループａのユーザーイクイップメントに割り当てる。
【００９７】
更に、アップリンクリソースが割り当てられた後、マクロ基地局は予め設定されたスケジューリング規則に従って、対応するアップリンクデータ伝送サブフレームに対して、各グループのユーザーイクイップメントをスケジューリングしてよい。
【００９８】
上記説明から分かるように、マクロ基地局は、ユーザーイクイップメントによって報告される測定レポートに従って、ユーザーイクイップメントを第１のユーザーイクイップメント群又は第２のユーザーイクイップメント群に分類する。第２のユーザーイクイップメント群のユーザーイクイップメントからマクロ基地局までの距離は、第１のユーザーイクイップメント群のユーザーイクイップメントから当該マクロ基地局までの距離より長い。第２のユーザーイクイップメント群のユーザーイクイップメントはマイクロセルのエッジに位置し、且つソフトハンドオーバー領域内には位置しない。また、マクロ基地局は、第１のユーザーイクイップメント群のユーザーイクイップメントの数と第２のユーザーイクイップメント群のユーザーイクイップメントの数との比率に基づいて、第１のユーザーイクイップメント群のユーザーイクイップメントと第２のユーザーイクイップメント群のユーザーイクイップメントとに、アップリンクデータ伝送サブフレームを割り当てる。このように、マクロ基地局は、マイクロセルと干渉するアップリンクユーザーイクイップメントを第２のユーザーイクイップメント群に分類し、アップリンクデータ伝送サブフレームの一部のサブフレームを意図的に第２のユーザーイクイップメント群に割り当て、よって、マイクロ基地局との深刻な干渉を生じるマクロ基地局のアップリンクユーザーイクイップメントを、マクロ基地局により同じサブフレームにスケジューリングできるようにする。これにより、時間スケール上の干渉のアラインメントが達成され、マイクロ基地局と深刻な干渉を生じるサブフレームの数が減少し、マクロ基地局のユーザーイクイップメントがマクロ基地局のユーザーイクイップメント付近のマイクロセルに対してアップリンク干渉を生じるという従来技術に存在する技術的問題が効果的に解決される。したがって、マイクロセルのアップリンク容量が低減され、これにより、マイクロ基地局のアップリンクユーザーイクイップメントの全体的な性能を向上させる。
【００９９】
同様の発明概念に基づき、本願は更にマクロ基地局を提供する。マクロ基地局は、ＵＴＭＳシステムのマクロ基地局であってよく、或いはＬＴＥシステムのマクロ基地局であってよく、或いは別のシステムのマクロ基地局であってよく、本願では具体的に限定されない。
【０１００】
図２を参照する。マクロ基地局は以下の要素を備える。受信器２０１は、ユーザーイクイップメントによって報告される測定レポートを受信するように構成される。プロセッサ２０２は、ユーザーイクイップメントによって報告される測定レポートに従って、ユーザーイクイップメントを第１のユーザーイクイップメント群又は第２のユーザーイクイップメント群に分類するように構成される。第２のユーザーイクイップメント群のユーザーイクイップメントはマイクロセルのエッジに位置し、且つソフトハンドオーバー領域内には位置しない。第２のユーザーイクイップメント群のユーザーイクイップメントとからマクロ基地局までの距離は、第１のユーザーイクイップメント群のユーザーイクイップメントから当該マクロ基地局までの距離よりも長い。プロセッサ２０２は、更に、スケジューリング周期内に、第１のユーザーイクイップメント群のユーザーイクイップメントの数と第２のユーザーイクイップメント群のユーザーイクイップメントの数との比率に基づいて、第１のユーザーイクイップメント群のユーザーイクイップメントと第２のユーザーイクイップメント群のユーザーイクイップメントとにアップリンクデータ伝送サブフレームを割り当てるように構成される。
【０１０１】
本実施形態では、ＵＴＭＳアーキテクチャを有するシステムについて、上記測定構成はＲＮＣにより各ユーザーイクイップメントに発送される。測定構成は、ＲＮＣによって定義される第１の周波数内測定レポートイベントについての情報と第２の周波数内測定レポートイベントについての情報とを伴う。ユーザーイクイップメントに対応するマイクロセルのパイロット信号が良好になったとき、マイクロセルは第１の周波数内測定レポートイベントをトリガし、マイクロセルのパイロット信号が悪化したとき、マイクロセルは第２の周波数内測定レポートイベントをトリガする。したがって、ユーザーイクイップメントに対応するマイクロセルが第１の周波数内測定レポートイベント又は第２の周波数内測定レポートイベントをトリガするときに、ＲＮＣに測定レポートが報告され、測定レポートは、Ｉｕｂインターフェースを用いて、ＲＮＣにより受信器２０１に転送される。
【０１０２】
任意に、マイクロセルは、ユーザーイクイップメントに対応するマイクロセルのパイロット信号がある程度良好になったとき、すなわち数式（１）を満たすときのみ、ユーザーイクイップメントのEvent  1a0をトリガする。同様に、マイクロセルは、ユーザーイクイップメントに対応するマイクロセルのパイロット信号がある程度悪化したとき、すなわち数式（２）を満たすときのみ、ユーザーイクイップメントのEvent  1b0をトリガする。
【０１０３】
代替として、ＬＴＥアーキテクチャを有するシステムについて、マクロ基地局は更に送信器を備えてよい。送信器は、ユーザーイクイップメントが測定構成に基づいて測定を行えるように、測定構成をユーザーイクイップメントに発送し、ユーザーイクイップメントに対応するマイクロセルが第１の周波数内測定レポートイベント又は第２の周波数内測定レポートイベントをトリガするときに、測定レポートを報告するように構成される。この場合、測定構成の周波数内測定レポートイベントは、マクロ基地局自体によって定義される。そして、測定完了後、ユーザーイクイップメントは測定レポートをマクロ基地局に報告する。すなわち、測定レポートを受信器２０１に送信する。
【０１０４】
この場合、プロセッサ２０２は、具体的には、ユーザーイクイップメントによって報告された測定レポートが第１の周波数内測定レポートイベントのトリガによって報告された場合、ユーザーイクイップメントを第２のユーザーイクイップメント群に分類し、又は、ユーザーイクイップメントによって報告された測定レポートが第２の周波数内測定レポートイベントのトリガによって報告された場合、ユーザーイクイップメントが測定を行う前の対応するマイクロセルの数と、第２の周波数内測定レポートイベントをトリガしたマイクロセルの数とを比較するように構成され、ユーザーイクイップメントが測定を行う前の対応するマイクロセルの数が第２の周波数内測定レポートイベントをトリガしたマイクロセルの数よりも大きいとき、ユーザーイクイップメントを第２のユーザーイクイップメント群に分類し、又は、ユーザーイクイップメントが測定を行う前の対応するマイクロセルの数が第２の周波数内測定レポートイベントをトリガしたマイクロセルの数と等しいとき、ユーザーイクイップメントを第１のユーザーイクイップメント群に分類するように構成される。
【０１０５】
更に、プロセッサ２０２は、更に、マクロ基地局がユーザーイクイップメントによって報告された測定レポートに従って、ユーザーイクイップメントを第１のユーザーイクイップメント群又は第２のユーザーイクイップメント群に分類する前に、ユーザーイクイップメントによって報告される測定レポートを受信し、ユーザーイクイップメントを第１のユーザーイクイップメント群に分類するように構成される。
【０１０６】
任意に、プロセッサ２０２は、更に、ユーザーイクイップメントを第２のユーザーイクイップメント群に分類した後、第２のユーザーイクイップメント群の各ユーザーイクイップメントによって報告される測定レポートに従って、各ユーザーイクイップメントに対応するマイクロセルをそれぞれ決定するように構成され、各ユーザーイクイップメントは１以上のマイクロセルのエッジに位置し、また、各ユーザーイクイップメントに対応するマイクロセルに従って、各ユーザーイクイップメントをそれぞれ第２のユーザーイクイップメント群の対応する小グループに分類するように構成され、各ユーザーイクイップメントに対応するマイクロセルは、グループ内の１つの小グループに対応する。
【０１０７】
更に、プロセッサ２０２は、具体的には、各ユーザーイクイップメントに対応するマイクロセルに従って、各ユーザーイクイップメントをそれぞれ第２のユーザーイクイップメント群の通常の小グループに分類するように構成される。通常の小グループと各ユーザーイクイップメントに対応するマイクロセルとは１対１の関係にある。
【０１０８】
更に、プロセッサ２０２は、具体的には、第２のユーザーイクイップメント群の任意のユーザーイクイップメントが単一のマイクロセルのみのエッジに位置する場合、任意のユーザーイクイップメントを第２のユーザーイクイップメント群の通常の小グループに分類するように構成され、通常の小グループと単一のマイクロセルとは１対１の関係にあり、又は、任意のユーザーイクイップメントが少なくとも２つのマイクロセルのエッジに位置する場合、任意のユーザーイクイップメントを少なくとも２つのマイクロセルに対応する特定の小グループに分類するように構成され、特定の小グループは通常の小グループ以外の小グループである。
【０１０９】
任意に、プロセッサ２０２は、更に、任意のユーザーイクイップメントを少なくとも２つのマイクロセルに対応する特定の小グループに分類した後、特定の小グループがユーザーイクイップメントを１つしか含まない場合、特定の小グループのユーザーイクイップメントを、少なくとも２つのマイクロセルのうち任意のマイクロセルに対応する通常の小グループに分類し、特定の小グループを削除するように構成される。
【０１１０】
任意に、プロセッサ２０２は、更に、ユーザーイクイップメントを第２のユーザーイクイップメント群の対応する通常の小グループに分類した後、通常の小グループに１つしかユーザーイクイップメントを含まないユニット小グループが存在する場合、ユニット小グループのユーザーイクイップメントを第１のユーザーイクイップメント群に分類し、ユニット小グループを削除するように構成される。
【０１１１】
任意に、プロセッサ２０２は、更に、第１のユーザーイクイップメント群のユーザーイクイップメントと第２のユーザーイクイップメント群のユーザーイクイップメントとにアップリンクデータ伝送サブフレームを割り当てた後、第２のユーザーイクイップメント群の各小グループのユーザーイクイップメントの数と第２のユーザーイクイップメント群のユーザーイクイップメントの数との比率に従って、第２のユーザーイクイップメント群に割り当てられたアップリンクデータ伝送サブフレームを、第２のユーザーイクイップメント群の各小グループのユーザーイクイップメントに割り当てるように構成される。
【０１１２】
上記実施形態におけるアップリンクリソースを割り当てるシステムの変形及び具体的な例は、本実施形態のマクロ基地局にも適用可能である。当業者であれば、アップリンクリソースを割り当てるシステムの上記詳細な説明に従って、本実施形態のマクロ基地局の実施方法を明らかに理解できるであろう。したがって、明細書を簡潔にするために、ここでは詳細の説明を省略する。
【０１１３】
同様の発明概念に基づき、実施形態は更に無線ネットワークコントローラを提供する。無線ネットワークコントローラは、ユーザーイクイップメントに測定構成を発送するように構成される送信器であって、測定構成は、第１の周波数内測定レポートイベントについての情報と第２の周波数内測定レポートイベントについての情報とを伴い、ユーザーイクイップメントに対応するマイクロセルのパイロット信号が良好であるとき、マイクロセルは第１の周波数内測定レポートイベントをトリガし、マイクロセルのパイロット信号が悪化したとき、マイクロセルは第２の周波数内測定レポートイベントをトリガし、更に、測定構成に従うユーザーイクイップメントによる測定によって取得され且つユーザーイクイップメントによって報告される測定レポートを、マクロ基地局に転送するように構成される送信器と、測定レポートを受信するように構成される受信器と、を備える。
【０１１４】
更に、マイクロセルが第１の周波数内測定レポートイベント又は第２の周波数内測定レポートイベントを継続的にトリガするのを防ぐために、無線ネットワークコントローラは、上記測定レポートを受信した後、更に、測定レポートに従って、ユーザーイクイップメントの第１の周波数内測定レポートイベントをトリガするマイクロセルがユーザーイクイップメントの第２の周波数内測定レポートイベントをトリガする前に、該マイクロセルはこれ以上ユーザーイクイップメントの第１の周波数内測定レポートイベントをトリガしないが、別のマイクロセルがユーザーイクイップメントの第１の周波数内測定レポートイベントをトリガする可能性があることを、第１の周波数内測定レポートイベントを報告するユーザーイクイップメントに通知してよく、また、ユーザーイクイップメントの第２の周波数内測定レポートイベントをトリガするマイクロセルがユーザーイクイップメントの第１の周波数内測定レポートイベントをトリガする前に、該マイクロセルはこれ以上ユーザーイクイップメントの第２の周波数内測定レポートイベントをトリガしないが、別のマイクロセルがユーザーイクイップメントの第２の周波数内測定レポートイベントをトリガする可能性があることを、第２の周波数内測定レポートイベントを報告するユーザーイクイップメントに通知してよい。
【０１１５】
上記実施形態におけるアップリンクリソースを割り当てるシステムの変形及び具体的な例は、本実施形態の無線ネットワークコントローラにも適用可能である。当業者であれば、アップリンクリソースを割り当てるシステムの上記詳細な説明に従って、本実施形態の無線ネットワークコントローラの実施方法を明らかに理解できるであろう。したがって、明細書を簡潔にするために、ここでは詳細の説明を省略する。
【０１１６】
同様の発明概念に基づき、本実施形態は更にユーザーイクイップメントを提供する。本ユーザーイクイップメントは以下の要素を含む。すなわち、受信器は、ネットワーク側から発送される測定構成を受信するように構成される。測定構成は、第１の周波数内測定レポートイベントについての情報と第２の周波数内測定レポートイベントについての情報とを伴う。ユーザーイクイップメントに対応するマイクロセルのパイロット信号が良好であるとき、マイクロセルは第１の周波数内測定レポートイベントをトリガし、マイクロセルのパイロット信号が悪化したとき、マイクロセルは第２の周波数内測定レポートイベントをトリガする。送信器は、測定構成に従って測定が行われ、且つ、マイクロセルが第１の周波数内測定レポートイベント及び／又は第２の周波数内測定レポートイベントをトリガするとき、ネットワーク側に測定レポートを報告するように構成される。
【０１１７】
留意すべきこととして、上記ネットワーク側は、異なるシステムアーキテクチャを有するネットワークについて異なるネットワーク側装置を含んでよい。例えば、ＵＭＴＳシステムについて、ネットワーク側は少なくともＲＮＣ及びマクロ基地局を含むが、ＬＴＥシステムについて、ネットワーク側は少なくともマクロ基地局を含む。
【０１１８】
したがって、ＵＴＭＳシステムについて、ＲＮＣは測定構成をユーザーイクイップメントに発送するように構成される。測定完了後、ユーザーイクイップメントが測定レポートをＲＮＣに報告し、それからＲＮＣが測定レポートをマクロ基地局に転送する。ＬＴＥシステムについて、マクロ基地局は、測定構成をユーザーイクイップメントに発送するように構成される。測定完了後、ユーザーイクイップメントは測定レポートをマクロ基地局に直接報告する。
【０１１９】
当然ながら、別のシステムアーキテクチャでは、ユーザーイクイップメントによる測定レポートの報告のプロセスは別の方式であってよく、本願では具体的に限定されない。
【０１２０】
上記実施形態におけるアップリンクリソースを割り当てるシステムの変形及び具体的な例は、本実施形態のユーザーイクイップメントにも適用可能である。当業者であれば、アップリンクリソースを割り当てるシステムの上記詳細な説明に従って、本実施形態のユーザーイクイップメントの実施方法を明らかに理解できるであろう。したがって、明細書を簡潔にするために、ここでは詳細の説明を省略する。
【０１２１】
同様の発明概念に基づき、本実施形態は更にアップリンクリソースを割り当てる装置を提供する。本装置は、ＵＴＭＳシステムのマクロ基地局に配置されてよく、或いはＬＴＥシステムのマクロ基地局に配置されてよく、本願では具体的に限定されない。
【０１２２】
図３を参照する。本装置は、具体的には以下の要素を備える。ユーザーイクイップメントグループ化モジュール３０１は、ユーザーイクイップメントによって報告される測定レポートに従って、ユーザーイクイップメントを第１のユーザーイクイップメント群又は第２のユーザーイクイップメント群に分類するように構成される。第２のユーザーイクイップメント群のユーザーイクイップメントはマイクロセルのエッジに位置し、且つソフトハンドオーバー領域内には位置しない。第２のユーザーイクイップメント群のユーザーイクイップメントとからマクロ基地局までの距離は、第１のユーザーイクイップメント群のユーザーイクイップメントから当該マクロ基地局までの距離よりも長い。アップリンクリソース割当てモジュール３０２は、スケジューリング周期内に、第１のユーザーイクイップメント群のユーザーイクイップメントの数と第２のユーザーイクイップメント群のユーザーイクイップメントの数との比率に基づいて、第１のユーザーイクイップメント群のユーザーイクイップメントと第２のユーザーイクイップメント群のユーザーイクイップメントとをアップリンクデータ伝送サブフレームに割り当てるように構成される。
【０１２３】
ＵＴＭＳシステムについて、本装置は更に受信モジュールを備えてよい。受信モジュールは、ユーザーイクイップメントグループ化モジュールがユーザーイクイップメントによって報告された測定レポートに従って、ユーザーイクイップメントを第１のユーザーイクイップメント群又は第２のユーザーイクイップメント群に分類する前に、ＲＮＣによって転送されるユーザーイクイップメントの測定レポートを受信するように構成される。測定レポートは、無線ネットワークコントローラによって発送される測定構成に従うユーザーイクイップメントによる測定によって取得され、且つ、ユーザーイクイップメントに対応するマイクロセルが第１の周波数内測定レポートイベント又は第２の周波数内測定レポートイベントをトリガするときに無線ネットワークコントローラに報告される。
【０１２４】
ＬＴＥシステムについて、本装置は更に測定構成モジュールを備えてよい。測定構成モジュールは、ユーザーイクイップメントグループ化モジュールがユーザーイクイップメントによって報告された測定レポートに従って、ユーザーイクイップメントを第１のユーザーイクイップメント群又は第２のユーザーイクイップメント群に分類する前に、測定構成をユーザーイクイップメントに発送し、測定構成に基づくユーザーイクイップメントによる測定によって取得され且つユーザーイクイップメントに対応するマイクロセルが第１の周波数内測定レポートイベント又は第２の周波数内測定レポートイベントをトリガするときに報告される測定レポートを受信するように構成される。
【０１２５】
上記１以上の実施形態では、好ましくは、マイクロセルは、ユーザーイクイップメントに対応するマイクロセルのパイロット信号がある程度良好になったとき、すなわち数式（１）を満たすときにのみ、ユーザーイクイップメントの第１の周波数内測定レポートイベントをトリガする。同様に、マイクロセルは、ユーザーイクイップメントに対応するマイクロセルのパイロット信号がある程度悪化したとき、すなわち数式（２）を満たすときにのみ、ユーザーイクイップメントの第２の周波数内測定レポートイベントをトリガする。
【０１２６】
任意に、マイクロセルがEvent  1a0又は1b0を継続的にトリガするのを防ぐために、受信モジュール又は測定構成モジュールは、上記測定レポートを受信した後、更に、測定レポートに従って、ユーザーイクイップメントのEvent  1a0をトリガするマイクロセルがユーザーイクイップメントのEvent  1b0をトリガする前に、該マイクロセルはこれ以上ユーザーイクイップメントのEvent  1a0をトリガしないが、別のマイクロセルがユーザーイクイップメントのEvent  1a0をトリガする可能性があることを、Event  1a0を報告するユーザーイクイップメントに通知してよく、また、ユーザーイクイップメントのEvent  1b0をトリガするマイクロセルがユーザーイクイップメントのEvent  1a0をトリガする前に、該マイクロセルはこれ以上ユーザーイクイップメントのEvent  1b0をトリガしないが、別のマイクロセルがユーザーイクイップメントのEvent  1b0をトリガする可能性があることを、Event  1b0を報告するユーザーイクイップメントに通知してよい。
【０１２７】
例えば、マイクロセルａがユーザーイクイップメントＡのEvent  1a0をトリガする場合、マイクロセルａは、ユーザーイクイップメントＡのEvent  1b0をトリガする前にユーザーイクイップメントＡのEvent  1a0を再トリガすることができない。マイクロセルａがユーザーイクイップメントＡのEvent  1b0をトリガした後にのみ、マイクロセルａはユーザーイクイップメントＡのEvent  1a0を再トリガすることができる。同様に、マイクロセルｂはユーザーイクイップメントＡのEvent  1b0をトリガする。ちょうど測定構成が開始したとき、マイクロセルはEvent  1b0をトリガすることができず、Event  1a0をトリガしたマイクロセルのみが、対応するEvent  1b0をトリガすることができる。したがって、ユーザーイクイップメントＡのEvent  1a0をトリガする前、マイクロセルｂはユーザーイクイップメントＡのEvent  1b0を再トリガすることができない。マイクロセルｂがユーザーイクイップメントＡのEvent  1a0をトリガした後にのみ、マイクロセルｂはユーザーイクイップメントＡのEvent  1b0を再トリガすることができる。異なるマイクロセル間のイベントのトリガは互いに独立し、互いに影響されない。
【０１２８】
この場合、ユーザーイクイップメントグループ化モジュール３０１は、具体的には、ユーザーイクイップメントによって報告された測定レポートが第１の周波数内測定レポートイベントのトリガによって報告された場合、ユーザーイクイップメントを第２のユーザーイクイップメント群に分類し、又は、ユーザーイクイップメントによって報告された測定レポートが第２の周波数内測定レポートイベントのトリガによって報告された場合、ユーザーイクイップメントが測定を行う前の対応するマイクロセルの数と、第２の周波数内測定レポートイベントをトリガしたマイクロセルの数とを比較するように構成される。ユーザーイクイップメントが測定を行う前の対応するマイクロセルの数が第２の周波数内測定レポートイベントをトリガしたマイクロセルの数よりも大きいとき、マクロ基地局はユーザーイクイップメントを第２のユーザーイクイップメント群に分類し、又は、ユーザーイクイップメントが測定を行う前の対応するマイクロセルの数が第２の周波数内測定レポートイベントをトリガしたマイクロセルの数と等しいとき、マクロ基地局はユーザーイクイップメントを第１のユーザーイクイップメント群に分類する。
【０１２９】
任意に、ユーザーイクイップメントグループ化モジュール３０１は、更に、マクロ基地局がユーザーイクイップメントによって報告された測定レポートに従って、ユーザーイクイップメントを第１のユーザーイクイップメント群又は第２のユーザーイクイップメント群に分類し、ユーザーイクイップメントが１回目に報告した測定レポートを受信する前に、ユーザーイクイップメントを第１のユーザーイクイップメント群に分類するように構成される。
【０１３０】
更に、ユーザーイクイップメントグループ化モジュール３０１は、具体的には以下の要素を有する。マイクロセル決定モジュールは、ユーザーイクイップメントグループ化モジュールがユーザーイクイップメントを第２のユーザーイクイップメント群に分類した後、第２のユーザーイクイップメント群の各ユーザーイクイップメントによって報告される測定レポートに従って、各ユーザーイクイップメントに対応するマイクロセルをそれぞれ決定するように構成される。各ユーザーイクイップメントは１以上のマイクロセルのエッジに位置する。また、小グループグループ化モジュールは、各ユーザーイクイップメントに対応するマイクロセルに従って、各ユーザーイクイップメントをそれぞれ第２のユーザーイクイップメント群の対応する小グループに分類するように構成される。各ユーザーイクイップメントに対応するマイクロセルは、グループ内の１つの小グループに対応する。
【０１３１】
更に、小グループグループ化モジュールは、具体的には、各ユーザーイクイップメントに対応するマイクロセルに従って、各ユーザーイクイップメントをそれぞれ第２のユーザーイクイップメント群の通常の小グループに分類するように構成される。通常の小グループと各ユーザーイクイップメントに対応するマイクロセルとは１対１の関係にある。
【０１３２】
更に、小グループグループ化モジュールは、具体的には、第２のユーザーイクイップメント群の任意のユーザーイクイップメントが単一のマイクロセルのみのエッジに位置する場合、任意のユーザーイクイップメントを第２のユーザーイクイップメント群の通常の小グループに分類するように構成され、通常の小グループと単一のマイクロセルとは１対１の関係にあり、又は、任意のユーザーイクイップメントが少なくとも２つのマイクロセルのエッジに位置する場合、マクロ基地局により、任意のユーザーイクイップメントを少なくとも２つのマイクロセルに対応する特定の小グループに分類するように構成され、特定の小グループは通常の小グループ以外の小グループである。
【０１３３】
更に、ユーザーイクイップメントグループ化モジュール３０１は、更に、小グループ最適化モジュールを有する。小グループ最適化モジュールは、小グループグループ化モジュールが任意のユーザーイクイップメントを少なくとも２つのマイクロセルに対応する特定の小グループに分類した後、特定の小グループがユーザーイクイップメントを１つしか含まない場合、特定の小グループのユーザーイクイップメントを、少なくとも２つのマイクロセルのうち任意のマイクロセルに対応する通常の小グループに分類し、特定の小グループを削除するように構成される。
【０１３４】
任意に、小グループ最適化モジュールは、更に、小グループグループ化モジュールがユーザーイクイップメントを第２のユーザーイクイップメント群の対応する通常の小グループに分類した後、通常の小グループに１つしかユーザーイクイップメントを含まないユニット小グループが存在する場合、ユニット小グループのユーザーイクイップメントを第１のユーザーイクイップメント群に分類し、ユニット小グループを削除するように構成される。
【０１３５】
更に、アップリンクリソース割当てモジュール３０２は、具体的には小グループリソース割当てモジュールを有する。小グループリソース割当てモジュールは、アップリンクリソース割当てモジュールが第１のユーザーイクイップメント群のユーザーイクイップメントと第２のユーザーイクイップメント群のユーザーイクイップメントとにアップリンクデータ伝送サブフレームを割り当てた後、第２のユーザーイクイップメント群の各小グループのユーザーイクイップメントの数と第２のユーザーイクイップメント群のユーザーイクイップメントの数との比率に従って、第２のユーザーイクイップメント群に割り当てられたアップリンクデータ伝送サブフレームを第２のユーザーイクイップメント群の各小グループのユーザーイクイップメントに割り当てるように構成される。
【０１３６】
上記実施形態におけるアップリンクリソースを割り当てるシステムの変形及び具体的な例は、本実施形態の装置にも適用可能である。当業者であれば、アップリンクリソースを割り当てるシステムの上記詳細な説明に従って、本実施形態の装置の実施方法を明らかに理解できるであろう。したがって、明細書を簡潔にするために、ここでは詳細の説明を省略する。
【０１３７】
同様の発明概念に基づき、本実施形態は更にアップリンクリソースを割り当てる方法を提供する。本方法はＵＴＭＳシステム又はＬＴＥシステムに適用されてよく、或いは、当然ながら、別のアーキテクチャを有するシステムに適用されてよく、本願では具体的に限定されない。
【０１３８】
図４を参照する。本方法は以下の要素を含む。
【０１３９】
Ｓ４０１：マクロ基地局が、ユーザーイクイップメントによって報告される測定レポートを取得する。
【０１４０】
Ｓ４０２：マクロ基地局が、ユーザーイクイップメントによって報告された測定レポートに従って、ユーザーイクイップメントを第１のユーザーイクイップメント群又は第２のユーザーイクイップメント群に分類する。第２のユーザーイクイップメント群のユーザーイクイップメントはマイクロセルのエッジに位置し、且つソフトハンドオーバー領域内には位置しない。第２のユーザーイクイップメント群のユーザーイクイップメントとからマクロ基地局までの距離は、第１のユーザーイクイップメント群のユーザーイクイップメントから当該マクロ基地局までの距離よりも長い。
【０１４１】
Ｓ４０３：マクロ基地局が、スケジューリング周期内に、第１のユーザーイクイップメント群のユーザーイクイップメントの数と第２のユーザーイクイップメント群のユーザーイクイップメントの数との比率に基づいて、第１のユーザーイクイップメント群のユーザーイクイップメントと第２のユーザーイクイップメント群のユーザーイクイップメントとにアップリンクデータ伝送サブフレームを割り当てる。
【０１４２】
本実施形態では、ＵＴＭＳシステムについて、ステップＳ４０１具体的には以下のとおりである。すなわち、マクロ基地局が測定構成をユーザーイクイップメントに発送し、マクロ基地局が、測定構成に基づくユーザーイクイップメントによる測定によって取得され且つユーザーイクイップメントによって報告される測定レポートを受信する。
【０１４３】
ＬＴＥシステムについて、ステップＳ４０１は具体的には、マクロ基地局が、ＲＮＣによって転送されるユーザーイクイップメントの測定レポートを受信するステップであって、測定レポートは、ＲＮＣによって発送される測定構成に従うユーザーイクイップメントによる測定によって取得され且つユーザーイクイップメントによりＲＮＣに報告される、ステップ、を含む。
【０１４４】
留意すべきこととして、上記測定レポートは、測定構成に従うユーザーイクイップメントによる測定によって取得され、且つ、ユーザーイクイップメントによって報告される。測定構成は、第１の周波数内測定レポートイベントについての情報と第２の周波数内測定レポートイベントについての情報とを伴う。ユーザーイクイップメントに関するマイクロセルのパイロット信号が良好になったとき、マイクロセルは第１の周波数内測定レポートイベントをトリガし、マイクロセルのパイロット信号が悪化したとき、マイクロセルは第２の周波数内測定レポートイベントをトリガする。
【０１４５】
好ましくは、マイクロセルは、ユーザーイクイップメントに対応するマイクロセルのパイロット信号がある程度良好になったとき、すなわち数式（１）を満たすときのみ、ユーザーイクイップメントのEvent  1a0をトリガする。同様に、マイクロセルは、ユーザーイクイップメントに対応するマイクロセルのパイロット信号がある程度悪化したとき、すなわち数式（２）を満たすときのみ、ユーザーイクイップメントのEvent  1b0をトリガする。
【０１４６】
任意に、マイクロセルがEvent  1a0又は1b0を継続的にトリガするのを防ぐために、ＲＮＣ又はマクロ基地局は、上記測定レポートを受信した後、更に、測定レポートに従って、ユーザーイクイップメントのEvent  1a0をトリガするマイクロセルがユーザーイクイップメントのEvent  1b0をトリガする前に、該マイクロセルはこれ以上ユーザーイクイップメントのEvent  1a0をトリガしないが、別のマイクロセルがユーザーイクイップメントのEvent  1a0をトリガする可能性があることを、Event  1a0を報告するユーザーイクイップメントに通知してよく、また、ユーザーイクイップメントのEvent  1b0をトリガするマイクロセルがユーザーイクイップメントのEvent  1a0をトリガするが前に、該マイクロセルはこれ以上ユーザーイクイップメントのEvent  1b0をトリガしないが、別のマイクロセルがユーザーイクイップメントのEvent  1b0をトリガする可能性があることを、Event  1b0を報告するユーザーイクイップメントに通知してよい。
【０１４７】
例えば、マイクロセルａがユーザーイクイップメントＡのEvent  1a0をトリガする場合、マイクロセルａは、ユーザーイクイップメントＡのEvent  1b0をトリガする前に、ユーザーイクイップメントＡのEvent  1a0を再トリガすることができない。マイクロセルａがユーザーイクイップメントＡのEvent  1b0をトリガした後にのみ、マイクロセルａはユーザーイクイップメントＡのEvent  1a0を再トリガすることができる。同様に、マイクロセルｂはユーザーイクイップメントＡのEvent  1b0をトリガする。ちょうど測定構成が開始したとき、マイクロセルはEvent  1b0をトリガすることができず、Event  1a0をトリガしたマイクロセルのみが、対応するEvent  1b0をトリガすることができる。したがって、マイクロセルｂは、ユーザーイクイップメントＡのEvent  1a0をトリガする前にユーザーイクイップメントＡのEvent  1b0を再トリガすることができない。マイクロセルｂがユーザーイクイップメントＡのEvent  1a0をトリガした後にのみ、マイクロセルｂはユーザーイクイップメントＡのEvent  1b0再トリガすることができる。異なるマイクロセル間のイベントのトリガは互いに独立し、互いに影響されない。
【０１４８】
この場合、ステップＳ４０２は具体的には以下のとおりであってよい。すなわち、ユーザーイクイップメントによって報告された測定レポートが第１の周波数内測定レポートイベントのトリガによって報告された場合、マクロ基地局が、ユーザーイクイップメントを第２のユーザーイクイップメント群に分類し、又は、ユーザーイクイップメントによって報告された測定レポートが第２の周波数内測定レポートイベントのトリガによって報告された場合、マクロ基地局が、ユーザーイクイップメントが測定を行う前の対応するマイクロセルの数と、第２の周波数内測定レポートイベントをトリガしたマイクロセルの数とを比較する。ユーザーイクイップメントが測定を行う前の対応するマイクロセルの数が第２の周波数内測定レポートイベントをトリガしたマイクロセルの数よりも大きいとき、マクロ基地局が、ユーザーイクイップメントを第２のユーザーイクイップメント群に分類し、又は、ユーザーイクイップメントが測定を行う前の対応するマイクロセルの数が第２の周波数内測定レポートイベントをトリガしたマイクロセルの数と等しいとき、マクロ基地局が、ユーザーイクイップメントを第１のユーザーイクイップメント群に分類する。
【０１４９】
更に、実際の応用では、マイクロセルのエッジに位置しないユーザーイクイップメントが存在してよい。そして、ステップＳ４０１の前に、本方法は更に、ユーザーイクイップメントによって報告される測定レポートを受信する前に、マクロ基地局が、ユーザーイクイップメントを第１のユーザーイクイップメント群に分類するステップ、を含む。
【０１５０】
Ｓ４０３：マクロ基地局が、スケジューリング周期内に、第１のユーザーイクイップメント群のユーザーイクイップメントの数と第２のユーザーイクイップメント群のユーザーイクイップメントの数との比率に基づいて、第１のユーザーイクイップメント群のユーザーイクイップメントと第２のユーザーイクイップメント群のユーザーイクイップメントとにアップリンクデータ伝送サブフレームを割り当てる。
【０１５１】
別の実施形態では、マクロ基地局のカバレッジエリア内に複数のマイクロセルが存在し得るので、マクロ基地局は、ステップＳ４０２の後であり且つステップＳ４０３の前に、更に、第２のユーザーイクイップメント群を分割してよい。したがって、本方法は更に、マクロ基地局が、第２のユーザーイクイップメント群の各ユーザーイクイップメントによって報告される測定レポートに従って、各ユーザーイクイップメントに対応するマイクロセルをそれぞれ決定するステップであって、各ユーザーイクイップメントは１以上のマイクロセルのエッジに位置する、ステップと、マクロ基地局が、各ユーザーイクイップメントに対応するマイクロセルに従って、各ユーザーイクイップメントをそれぞれ第２のユーザーイクイップメント群の対応する小グループに分類するステップであって、各ユーザーイクイップメントに対応するマイクロセルとグループの各小グループとは１対１の対応関係にある、ステップと、を含む。
【０１５２】
具体的には、マクロ基地局が、第２のユーザーイクイップメント群の各ユーザーイクイップメントによって報告される測定レポートに従って、各ユーザーイクイップメントに対応するマイクロセルをそれぞれ決定する。各ユーザーイクイップメントは１以上のマイクロセルのエッジに位置する。また、マクロ基地局が、各ユーザーイクイップメントに対応するマイクロセルに従って、各ユーザーイクイップメントをそれぞれ第２のユーザーイクイップメント群の対応するグループに分類する。各ユーザーイクイップメントに対応するマイクロセルは、グループ内の１つの小グループに対応する。
【０１５３】
具体的には、第２のユーザーイクイップメント群のユーザーイクイップメントは、少なくとも１つのマイクロセルのエッジに位置する。そして、マクロ基地局は、第２のユーザーイクイップメント群のユーザーイクイップメントによって報告されるマイクロ基地局に従って、各ユーザーイクイップメントが位置するマイクロセルのエッジを決定することができる。１以上のマイクロセルは、ユーザーイクイップメントに対応するマイクロセルである。そして、マクロ基地局は、各ユーザーイクイップメントに対応するマイクロセルに従って、第２のユーザーイクイップメント群を小グループに分割してよい。
【０１５４】
なお、実際の応用では、上記小グループは、マクロ基地局が実施されるときのカバレッジエリアのマイクロセルの数に従ってグループ化されてよく、或いは、ユーザーイクイップメントの測定レポートに従って動的に生成されてよく、本願では具体的に限定されない。
【０１５５】
本実施形態では、小グループのグループ化の上記手続きは、限定ではないが、以下の２つのケースを含んでよい。
【０１５６】
第１のケースでは、第２のユーザーイクイップメント群において、各ユーザーイクイップメントが１つのマイクロセルにのみ対応し得る。そして、マクロ基地局は、各ユーザーイクイップメントに対応するマイクロセルに従って、各ユーザーイクイップメントをそれぞれ第２のユーザーイクイップメント群の通常の小グループに分類する。通常の小グループと各ユーザーイクイップメントに対応するマイクロセルとは１対１の関係にある。
【０１５７】
例えば、第２のユーザーイクイップメント群では、ユーザーイクイップメント１がマイクロセルａのエッジに位置し、ユーザーイクイップメント２がマイクロセルｂのエッジに位置し、ユーザーイクイップメント３もマイクロセルａのエッジに位置し、ユーザーイクイップメント４がマイクロセルｃのエッジに位置する。そして、マクロ基地局は、ユーザーイクイップメント１及びユーザーイクイップメント３をマイクロセルａに対応する通常の小グループａに分類し、ユーザーイクイップメント２をマイクロセルｂに対応する通常の小グループｂに分類し、ユーザーイクイップメント４をマイクロセルｃに対応する通常の小グループｃに分類する。
【０１５８】
第２のケースでは、第２のユーザーイクイップメント群の任意のユーザーイクイップメントが単一のマイクロセルのみのエッジに位置する場合、マクロ基地局は、任意のユーザーイクイップメントを第２のユーザーイクイップメント群の通常の小グループに分類する。通常の小グループと単一のマイクロセルとは１対１の関係にある。又は、任意のユーザーイクイップメントが少なくとも２つのマイクロセルのエッジに位置する場合、マクロ基地局は、任意のユーザーイクイップメントを少なくとも２つのマイクロセルに対応する特定の小グループに分類する。特定の小グループは通常の小グループ以外の小グループである。
【０１５９】
例えば、第２のユーザーイクイップメント群では、ユーザーイクイップメント１がマイクロセルａのエッジに位置し、ユーザーイクイップメント２がマイクロセルｂのエッジに位置し、ユーザーイクイップメント３がマイクロセルｃとｆの両方のエッジに位置し、ユーザーイクイップメント４がマイクロセルｄとｆのエッジに位置する。そして、マクロ基地局は、ユーザーイクイップメント１をマイクロセルａに対応する通常の小グループａに分類し、ユーザーイクイップメント２をマイクロセルｂに対応する通常の小グループｂに分類し、ユーザーイクイップメント３をマイクロセルｃとｆに対応する特定の小グループｃｆに分類し、ユーザーイクイップメント４をマイクロセルｄとｆに対応する特定の小グループｄｆに分類する。
【０１６０】
実際の応用では別のグループ化方針があってもよく、本願では具体的に限定されない。
【０１６１】
更に、マクロ基地局がグループ分類を完了した後、グループ化を最適化するために、上記第２のケースでは、特定の小グループがユーザーイクイップメントを１つしか含まない場合、マクロ基地局は、特定の小グループのユーザーイクイップメントを、少なくとも２つのマイクロセルのうち任意のマイクロセルに対応する通常の小グループに分類し、特定の小グループを削除する。
【０１６２】
例えば、マクロ基地局が全てのユーザーイクイップメント及び小グループを分類した後、特定の小グループｃｆがマイクロセルｃとマイクロセルｆの両方のエッジに位置するユーザーイクイップメント３のみを含む場合、マクロ基地局は、ユーザーイクイップメント３をマイクロセルｃに対応する通常の小グループｃ又はマイクロセルｆに対応する通常の小グループｆに分類し、特定の小グループｃｆを削除する。
【０１６３】
上記第１のケース及び／又は第２のケースでは、マクロ基地局がグループ分類を完了した後、グループ化を最適化するために、マクロ基地局がユーザーイクイップメントを第２のユーザーイクイップメント群の通常の小グループに分類した後、通常の小グループに１つしかユーザーイクイップメントを含まないユニット小グループが存在する場合、マクロ基地局は、更に、ユニット小グループのユーザーイクイップメントを第１のユーザーイクイップメント群に分類し、ユニット小グループを削除してよい。
【０１６４】
例えば、マクロ基地局が全てのユーザーイクイップメント及び小グループを分類した後、通常の小グループａがユーザーイクイップメント１のみを含む場合、通常の小グループａはユニット小グループである。マクロ基地局は、小グループのユーザーイクイップメント１を第１のユーザーイクイップメント群に分類し、通常の小グループａを削除する。
【０１６５】
この時点で、マクロ基地局は、ユーザーイクイップメントのグループ分類を完了する。
【０１６６】
次に、ステップＳ４０３が実行された後、第２のユーザーイクイップメント群の小グループにアップリンクリソースが更に割り当てられる必要がある。したがって、本方法は更に、マクロ基地局が、第２のユーザーイクイップメント群の各小グループのユーザーイクイップメントの数と第２のユーザーイクイップメント群のユーザーイクイップメントの数との比率に従って、第２のユーザーイクイップメント群に割り当てられたアップリンクデータ伝送サブフレームを、第２のユーザーイクイップメント群の各小グループのユーザーイクイップメントに割り当てるステップ、を含む。
【０１６７】
上記実施形態におけるアップリンクリソースを割り当てるシステムの変形及び具体的な例は、本実施形態の方法にも適用可能である。当業者であれば、アップリンクリソースを割り当てるシステムの上記詳細な説明に従って、本実施形態の方法の実施方法を明らかに理解できるであろう。したがって、明細書を簡潔にするために、ここでは詳細の説明を省略する。
【０１６８】
本願の上記実施形態における技術的解決策には、少なくとも以下の技術的効果又は利点がある。
【０１６９】
本発明において提供されるアップリンクリソースを割り当てる方法、装置及びシステム並びにマクロ基地局によれば、マクロ基地局は、ユーザーイクイップメントによって報告される測定レポートに従って、ユーザーイクイップメントを第１のユーザーイクイップメント群又は第２のユーザーイクイップメント群に分類する。第２のユーザーイクイップメント群のユーザーイクイップメントからマクロ基地局までの距離は、第１のユーザーイクイップメント群のユーザーイクイップメントから当該マクロ基地局までの距離より長い。第２のユーザーイクイップメント群のユーザーイクイップメントはマイクロセルのエッジに位置し、且つソフトハンドオーバー領域内には位置しない。また、マクロ基地局は、第１のユーザーイクイップメント群のユーザーイクイップメントの数と第２のユーザーイクイップメント群のユーザーイクイップメントの数との比率に基づいて、第１のユーザーイクイップメント群のユーザーイクイップメントと第２のユーザーイクイップメント群のユーザーイクイップメントとにアップリンクデータ伝送サブフレームを割り当てる。このように、マクロ基地局は、マイクロセルと干渉するアップリンクユーザーイクイップメントを第２のユーザーイクイップメント群に分類し、アップリンクデータ伝送サブフレームの一部のサブフレームを意図的に第２のユーザーイクイップメント群に割り当て、よって、マイクロ基地局との深刻な干渉を生じるマクロ基地局のアップリンクユーザーイクイップメントを、マクロ基地局により同じサブフレームにスケジューリングできるようにする。これにより、時間スケール上の干渉のアラインメントが達成され、マイクロ基地局と深刻な干渉を生じるサブフレームの数が減少し、マクロ基地局のユーザーイクイップメントがマクロ基地局のユーザーイクイップメント付近のマイクロセルに対してアップリンク干渉を生じるという従来技術に存在する技術的問題が効果的に解決される。したがって、マイクロセルのアップリンク容量が低減され、これにより、マイクロ基地局のアップリンクユーザーイクイップメントの全体的な性能を向上させる。
【０１７０】
当業者であれば、本発明の実施形態が方法、システム又はコンピュータープログラム製品として提供されてよいことが理解できるであろう。したがって、本発明は、ハードウェアのみの実施形態、ソフトウェアのみの実施形態、又はソフトウェアとハードウェアの組合わせによる実施形態の形式を用いてよい。更に、本発明は、コンピューター利用可能なプログラムコードを含む１以上のコンピューター利用可能な記憶媒体（限定ではないが、ディスクメモリ、ＣＤ−ＲＯＭ、光メモリ等を含む）上で実行されるコンピュータープログラム製品の形式を用いてよい。
【０１７１】
本発明の実施形態に係る方法、装置（システム）及びコンピュータープログラム製品のフローチャート及び／又はブロック図を参照して、本発明を説明した。コンピュータープログラム命令は、フローチャート及び／又はブロック図の各プロセス及び／又は各ブロック並びにフローチャート及び／又はブロック図のプロセス及び／又はブロックの組み合わせを実現するために使用されてもよいことを理解されたい。係るコンピュータープログラム命令は、汎用コンピューター、専用コンピューター、組込みプロセッサ、又はマシンを生成する他のプログラマブルデータ処理装置のプロセッサのために設けられてよく、よって、コンピューター又は他のプログラム可能なデータ処理装置のプロセッサによって実行される命令が、フローチャートの１以上の処理及び／又はブロック図の１以上のブロックにおける特定の機能を実現するための装置が生成されるようにする。
【０１７２】
また、係るコンピュータープログラム命令は、コンピューターその他のプログラム可能なデータ処理装置に特定の方式で動作するように命令することができるコンピューター可読メモリに格納されてよく、それにより、コンピューター可読メモリに格納された命令は、命令装置を含むアーティファクトを生成する。命令装置は、フローチャート内の１以上のプロセス及び／又はブロック図内の１以上のブロックの特定の機能を実現する。
【０１７３】
また、係るコンピュータープログラム命令は、一連の動作及びステップがコンピューターその他のプログラム可能な装置上で実行されるように、コンピューターその他のプログラム可能なデータ処理装置上にロードされてよく、それによってコンピューター実装処理が生成される。したがって、コンピューターその他のプログラム可能な装置上で実行される命令は、フローチャート内の１以上のプロセス及び／又はブロック図内の１以上のブロックの特定の機能を実現するためのステップを提供する。
【０１７４】
当然ながら、当業者は、本発明の主旨及び範囲から逸脱することなく、本発明に様々な変更及び変形を行うことができる。本発明は、そのような変更及び変形が特許請求の範囲及びその均等な技術によって定義される保護範囲内に入るならば、それらを包含するように意図される。
【図１】
2017501635.tif 000008
【図２】
2017501635.tif 000009
【図３】
2017501635.tif 000010
【図４】
2017501635.tif 000011
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
マクロ基地局であって、
ユーザーイクイップメントによって報告される測定レポートを受信するように構成される受信器と、
前記ユーザーイクイップメントによって報告される前記測定レポートに従って、前記ユーザーイクイップメントを第１のユーザーイクイップメント群又は第２のユーザーイクイップメント群に分類するように構成されるプロセッサであって、前記第２のユーザーイクイップメント群のユーザーイクイップメントはマイクロセルのエッジに位置し、且つソフトハンドオーバー領域内には位置せず、前記第２のユーザーイクイップメント群の前記ユーザーイクイップメントとから当該マクロ基地局までの距離は、前記第１のユーザーイクイップメント群のユーザーイクイップメントから当該マクロ基地局までの距離よりも長く、更に、スケジューリング周期内に、前記第１のユーザーイクイップメント群のユーザーイクイップメントの数と前記第２のユーザーイクイップメント群のユーザーイクイップメントの数との比率に基づいて、前記第１のユーザーイクイップメント群の前記ユーザーイクイップメントと前記第２のユーザーイクイップメント群の前記ユーザーイクイップメントとに、アップリンクデータ伝送サブフレームを割り当てるように構成されるプロセッサと、
を備える、マクロ基地局。
【請求項２】
前記プロセッサは、更に、
前記ユーザーイクイップメントを前記第２のユーザーイクイップメント群に分類した後、前記第２のユーザーイクイップメント群の各ユーザーイクイップメントによって報告される測定レポートに従って、各ユーザーイクイップメントに対応するマイクロセルをそれぞれ決定するように構成され、各ユーザーイクイップメントは１以上のマイクロセルのエッジに位置し、且つ、
各ユーザーイクイップメントに対応する前記マイクロセルに従って、各ユーザーイクイップメントをそれぞれ前記第２のユーザーイクイップメント群の対応する小グループに分類するように構成され、各ユーザーイクイップメントに対応する前記マイクロセルは、前記第２のユーザーイクイップメント群内の１つの小グループに対応する、
請求項１に記載のマクロ基地局。
【請求項３】
前記プロセッサは、具体的には、各ユーザーイクイップメントに対応する前記マイクロセルに従って、各ユーザーイクイップメントをそれぞれ前記第２のユーザーイクイップメント群の通常の小グループに分類するように構成され、前記通常の小グループと各ユーザーイクイップメントに対応する前記マイクロセルとは１対１の関係にある、
請求項２に記載のマクロ基地局。
【請求項４】
前記プロセッサは、具体的には、
前記第２のユーザーイクイップメント群の任意のユーザーイクイップメントが単一のマイクロセルのみのエッジに位置する場合、前記任意のユーザーイクイップメントを前記第２のユーザーイクイップメント群の通常の小グループに分類するように構成され、前記通常の小グループと前記単一のマイクロセルとは１対１の関係にあり、又は、
前記任意のユーザーイクイップメントが少なくとも２つのマイクロセルのエッジに位置する場合、前記任意のユーザーイクイップメントを前記少なくとも２つのマイクロセルに対応する特定の小グループに分類するように構成され、前記特定の小グループは前記通常の小グループ以外の小グループである、
請求項２に記載のマクロ基地局。
【請求項５】
前記プロセッサは、更に、前記任意のユーザーイクイップメントを前記少なくとも２つのマイクロセルに対応する前記特定の小グループに分類した後、前記特定の小グループがユーザーイクイップメントを１つしか含まない場合、前記特定の小グループの前記ユーザーイクイップメントを、前記少なくとも２つのマイクロセルのうち任意のマイクロセルに対応する通常の小グループに分類し、前記特定の小グループを削除するように構成される、
請求項４に記載のマクロ基地局。
【請求項６】
前記プロセッサは、更に、前記ユーザーイクイップメントを前記第２のユーザーイクイップメント群の前記対応する通常の小グループに分類した後、前記通常の小グループに１つしかユーザーイクイップメントを含まないユニット小グループが存在する場合、前記ユニット小グループの前記ユーザーイクイップメントを前記第１のユーザーイクイップメント群に分類し、前記ユニット小グループを削除するように構成される、
請求項３乃至５のいずれか一項に記載のマクロ基地局。
【請求項７】
前記プロセッサは、更に、前記第１のユーザーイクイップメント群の前記ユーザーイクイップメントと前記第２のユーザーイクイップメント群の前記ユーザーイクイップメントとに前記アップリンクデータ伝送サブフレームを割り当てた後、前記第２のユーザーイクイップメント群の各小グループのユーザーイクイップメントの数と前記第２のユーザーイクイップメント群の前記ユーザーイクイップメントの数との比率に従って、前記第２のユーザーイクイップメント群に割り当てられたアップリンクデータ伝送サブフレームを、前記第２のユーザーイクイップメント群の各小グループの前記ユーザーイクイップメントに割り当てるように構成される、
請求項２乃至６のいずれか一項に記載のマクロ基地局。
【請求項８】
前記測定レポートは、前記ユーザーイクイップメントが測定構成に従って測定を行うことによって取得され、且つ、前記ユーザーイクイップメントによって報告され、前記測定構成は、第１の周波数内測定レポートイベントについての情報と第２の周波数内測定レポートイベントについての情報とを伴い、
前記ユーザーイクイップメントに対応するマイクロセルのパイロット信号が良好であるとき、前記マイクロセルは前記第１の周波数内測定レポートイベントをトリガし、マイクロセルのパイロット信号が悪化したとき、前記マイクロセルは前記第２の周波数内測定レポートイベントをトリガする、
請求項１乃至７のいずれか一項に記載のマクロ基地局。
【請求項９】
前記プロセッサは、具体的には、前記ユーザーイクイップメントによって報告された前記測定レポートが前記第１の周波数内測定レポートイベントのトリガによって報告された場合、前記ユーザーイクイップメントを前記第２のユーザーイクイップメント群に分類し、又は、前記ユーザーイクイップメントによって報告された前記測定レポートが前記第２の周波数内測定レポートイベントのトリガによって報告された場合、前記ユーザーイクイップメントが測定を行う前の対応するマイクロセルの数と、前記第２の周波数内測定レポートイベントをトリガしたマイクロセルの数とを比較するように構成され、
前記ユーザーイクイップメントが測定を行う前の対応するマイクロセルの前記数が前記第２の周波数内測定レポートイベントをトリガしたマイクロセルの前記数よりも大きいとき、前記ユーザーイクイップメントを前記第２のユーザーイクイップメント群に分類し、又は、前記ユーザーイクイップメントが測定を行う前の対応するマイクロセルの前記数が前記第２の周波数内測定レポートイベントをトリガしたマイクロセルの前記数と等しいとき、前記ユーザーイクイップメントを前記第１のユーザーイクイップメント群に分類するように構成される、
請求項８に記載のマクロ基地局。
【請求項１０】
前記プロセッサは、更に、前記ユーザーイクイップメントが前記ユーザーイクイップメントによって報告された前記測定レポートに従って前記第１のユーザーイクイップメント群又は前記第２のユーザーイクイップメント群に分類される前に、且つ、前記ユーザーイクイップメントによって報告される前記測定レポートが受信される前に、前記ユーザーイクイップメントを前記第１のユーザーイクイップメント群に分類するように構成される、
請求項９に記載のマクロ基地局。
【請求項１１】
前記ユーザーイクイップメントが前記測定構成に基づいて測定を行えるように、前記測定構成を前記ユーザーイクイップメントに発送するように構成され、且つ、前記ユーザーイクイップメントに対応する前記マイクロセルが前記第１の周波数内測定レポートイベント又は前記第２の周波数内測定レポートイベントをトリガするときに、前記測定レポートを報告するように構成される送信器、
を更に備える、請求項９又は１０に記載のマクロ基地局。
【請求項１２】
前記受信器は、具体的には、前記ユーザーイクイップメントが前記ユーザーイクイップメントによって報告された前記測定レポートに従って前記第１のユーザーイクイップメント群又は前記第２のユーザーイクイップメント群に分類される前に、無線ネットワークコントローラによって転送される前記ユーザーイクイップメントの前記測定レポートを受信するように構成され、
前記測定レポートは、前記無線ネットワークコントローラによって発送される前記測定構成に従う前記ユーザーイクイップメントによる測定によって取得され、且つ、前記ユーザーイクイップメントに対応する前記マイクロセルが前記第１の周波数内測定レポートイベント又は前記第２の周波数内測定レポートイベントをトリガするときに、前記無線ネットワークコントローラに報告される、
請求項９又は１０に記載のマクロ基地局。
【請求項１３】
ユーザーイクイップメントに測定構成を発送するように構成される送信器であって、前記測定構成は、第１の周波数内測定レポートイベントについての情報と第２の周波数内測定レポートイベントについての情報とを伴い、前記ユーザーイクイップメントに対応するマイクロセルのパイロット信号が良好であるとき、前記マイクロセルは前記第１の周波数内測定レポートイベントをトリガし、マイクロセルのパイロット信号が悪化したとき、前記マイクロセルは前記第２の周波数内測定レポートイベントをトリガし、更に、前記測定構成に従う前記ユーザーイクイップメントによる測定によって取得され且つ前記ユーザーイクイップメントによって報告される測定レポートを、マクロ基地局に転送するように構成される送信器と、
前記測定レポートを受信するように構成される受信器と、
を備える無線ネットワークコントローラ。
【請求項１４】
ユーザーイクイップメントであって、
ネットワーク側から発送される測定構成を受信するように構成される受信器であって、前記測定構成は、第１の周波数内測定レポートイベントについての情報と第２の周波数内測定レポートイベントについての情報とを伴い、当該ユーザーイクイップメントに対応するマイクロセルのパイロット信号が良好であるとき、前記マイクロセルは前記第１の周波数内測定レポートイベントをトリガし、マイクロセルのパイロット信号が悪化したとき、前記マイクロセルは前記第２の周波数内測定レポートイベントをトリガする、受信器と、
前記測定構成に従って測定が行われ、且つ、マイクロセルが前記第１の周波数内測定レポートイベント及び／又は前記第２の周波数内測定レポートイベントをトリガするとき、前記ネットワーク側に測定レポートを報告するように構成される送信器と、
を備えるユーザーイクイップメント。
【請求項１５】
アップリンクリソースを割り当てる方法であって、
マクロ基地局が、ユーザーイクイップメントによって報告される測定レポートを取得するステップと、
前記マクロ基地局が、前記測定レポートに従って、前記ユーザーイクイップメントを第１のユーザーイクイップメント群又は第２のユーザーイクイップメント群に分類するステップであって、前記第１のユーザーイクイップメント群のユーザーイクイップメントのマイクロセルに対する干渉は、前記第２のユーザーイクイップメント群のユーザーイクイップメントの前記マイクロセルに対する干渉よりも小さい、ステップと、
前記マクロ基地局が、スケジューリング周期内に、前記第１のユーザーイクイップメント群のユーザーイクイップメントの数と前記第２のユーザーイクイップメント群のユーザーイクイップメントの数との比率に基づいて、前記第１のユーザーイクイップメント群の前記ユーザーイクイップメントと前記第２のユーザーイクイップメント群の前記ユーザーイクイップメントとに、アップリンクデータ伝送サブフレームを割り当てるステップと、
を含む方法。
【請求項１６】
前記マクロ基地局が前記ユーザーイクイップメントを第２のユーザーイクイップメント群に分類した後に、
前記マクロ基地局が、前記第２のユーザーイクイップメント群の各ユーザーイクイップメントによって報告される測定レポートに従って、各ユーザーイクイップメントに対応するマイクロセルをそれぞれ決定するステップであって、各ユーザーイクイップメントは１以上のマイクロセルのエッジに位置する、ステップと、
前記マクロ基地局が、各ユーザーイクイップメントに対応する前記マイクロセルに従って、各ユーザーイクイップメントをそれぞれ前記第２のユーザーイクイップメント群の対応する小グループに分類するステップであって、各ユーザーイクイップメントに対応する前記マイクロセルは、前記第２のユーザーイクイップメント群内の１つの小グループに対応する、ステップと、
を更に含む、請求項１５に記載の方法。
【請求項１７】
前記マクロ基地局が、各ユーザーイクイップメントに対応する前記マイクロセルに従って、各ユーザーイクイップメントをそれぞれ前記第２のユーザーイクイップメント群の小グループに分類する前記ステップは、具体的には、
前記マクロ基地局が、各ユーザーイクイップメントに対応する前記マイクロセルに従って、各ユーザーイクイップメントをそれぞれ前記第２のユーザーイクイップメント群の通常の小グループに分類するステップであって、前記通常の小グループと各ユーザーイクイップメントに対応する前記マイクロセルとは１対１の関係にある、ステップ、
を含む、請求項１６に記載の方法。
【請求項１８】
前記マクロ基地局が、各ユーザーイクイップメントに対応する前記マイクロセルに従って、各ユーザーイクイップメントをそれぞれ前記第２のユーザーイクイップメント群の小グループに分類する前記ステップは、具体的には、
前記第２のユーザーイクイップメント群の任意のユーザーイクイップメントが単一のマイクロセルのみのエッジに位置する場合、前記マクロ基地局が、前記任意のユーザーイクイップメントを前記第２のユーザーイクイップメント群の通常の小グループに分類するステップであって、前記通常の小グループと前記単一のマイクロセルとは１対１の関係にある、ステップ、又は、
前記任意のユーザーイクイップメントが少なくとも２つのマイクロセルのエッジに位置する場合、前記マクロ基地局が、前記任意のユーザーイクイップメントを前記少なくとも２つのマイクロセルに対応する特定の小グループに分類するステップであって、前記特定の小グループは前記通常の小グループ以外の小グループである、ステップ、
を含む、請求項１６に記載の方法。
【請求項１９】
前記マクロ基地局が前記任意のユーザーイクイップメントを前記第２のユーザーイクイップメント群の特定の小グループに分類するステップの後に、
前記少なくとも２つのマイクロセルに対応する前記特定の小グループがユーザーイクイップメントを１つしか含まない場合、前記マクロ基地局が、前記特定の小グループの前記ユーザーイクイップメントを前記少なくとも２つのマイクロセルのうち任意のマイクロセルに対応する通常の小グループに分類し、前記特定の小グループを削除するステップ、
を更に含む、請求項１８に記載の方法。
【請求項２０】
前記マクロ基地局がユーザーイクイップメントを前記第２のユーザーイクイップメント群の対応する通常の小グループに分類する前記ステップの後に、
前記通常の小グループに１つしかユーザーイクイップメントを含まないユニット小グループが存在する場合、前記マクロ基地局が、前記ユニット小グループの前記ユーザーイクイップメントを前記第１のユーザーイクイップメント群に分類し、前記ユニット小グループを削除するステップ、
を更に含む、請求項１７乃至１９のいずれか一項に記載の方法。
【請求項２１】
記マクロ基地局が前記第１のユーザーイクイップメント群の前記ユーザーイクイップメントと前記第２のユーザーイクイップメント群の前記ユーザーイクイップメントとにアップリンクデータ伝送サブフレームを割り当てる前記ステップの後に、
前記マクロ基地局が、前記第２のユーザーイクイップメント群の各小グループのユーザーイクイップメントの数と前記第２のユーザーイクイップメント群の前記ユーザーイクイップメントの数との比率に従って、前記第２のユーザーイクイップメント群に割り当てられたアップリンクデータ伝送サブフレームを、前記第２のユーザーイクイップメント群の各小グループの前記ユーザーイクイップメントに割り当てるステップ、
を更に含む、請求項１６乃至２０のいずれか一項に記載の方法。
【請求項２２】
前記測定レポートは、前記ユーザーイクイップメントが測定構成に従って測定を行うことによって取得され、且つ、前記ユーザーイクイップメントによって報告され、前記測定構成は、第１の周波数内測定レポートイベントについての情報と第２の周波数内測定レポートイベントについての情報とを伴い、
前記ユーザーイクイップメントに対応するマイクロセルのパイロット信号が良好であるとき、前記マイクロセルは前記第１の周波数内測定レポートイベントをトリガし、前記マイクロセルの前記パイロット信号が悪化したとき、前記マイクロセルは前記第２の周波数内測定レポートイベントをトリガする、
請求項１６乃至２０のいずれか一項に記載の方法。
【請求項２３】
前記マクロ基地局が、前記測定レポートに従って、前記ユーザーイクイップメントを第１のユーザーイクイップメント群又は第２のユーザーイクイップメント群に分類する前記ステップは、具体的には、
前記ユーザーイクイップメントによって報告された前記測定レポートが前記第１の周波数内測定レポートイベントのトリガによって報告された場合、前記マクロ基地局が、前記ユーザーイクイップメントを前記第２のユーザーイクイップメント群に分類するステップ、又は、
前記ユーザーイクイップメントによって報告された前記測定レポートが前記第２の周波数内測定レポートイベントのトリガによって報告された場合、前記マクロ基地局が、前記ユーザーイクイップメントが測定を行う前の対応するマイクロセルの数と、前記第２の周波数内測定レポートイベントをトリガしたマイクロセルの数とを比較し、前記ユーザーイクイップメントが測定を行う前の対応するマイクロセルの前記数が前記第２の周波数内測定レポートイベントをトリガしたマイクロセルの前記数よりも大きいとき、前記マクロ基地局が、前記ユーザーイクイップメントを前記第２のユーザーイクイップメント群に分類し、若しくは、前記ユーザーイクイップメントが測定を行う前の対応するマイクロセルの前記数が前記第２の周波数内測定レポートイベントをトリガしたマイクロセルの前記数と等しいとき、前記マクロ基地局が、前記ユーザーイクイップメントを前記第１のユーザーイクイップメント群に分類するステップ、
を含む、請求項２２に記載の方法。
【請求項２４】
前記マクロ基地局が、前記ユーザーイクイップメントによって報告された前記測定レポートに従って、前記ユーザーイクイップメントを第１のユーザーイクイップメント群又は第２のユーザーイクイップメント群に分類する前記ステップの前に、
前記ユーザーイクイップメントによって報告される前記測定レポートを取得する前に、前記マクロ基地局が、前記ユーザーイクイップメントを前記第１のユーザーイクイップメント群に分類するステップ、
を更に含む、請求項１５乃至２３のいずれか一項に記載の方法。
【請求項２５】
マクロ基地局がユーザーイクイップメントによって報告される測定レポートを取得する前記ステップは、
前記マクロ基地局が、測定構成を前記ユーザーイクイップメントに発送するステップと、
前記マクロ基地局が、前記ユーザーイクイップメントによる前記測定構成に基づく測定によって取得され、且つ前記ユーザーイクイップメントに対応する前記マイクロセルが第１の周波数内測定レポートイベント又は第２の周波数内測定レポートイベントをトリガするときに報告される測定レポートを受信するステップと、
を含む、請求項２２乃至２４のいずれか一項に記載の方法。
【請求項２６】
マクロ基地局がユーザーイクイップメントによって報告される測定レポートを取得する前記ステップは、
前記マクロ基地局が、無線ネットワークコントローラによって転送される前記ユーザーイクイップメントの前記測定レポートを受信するステップであって、前記測定レポートは、前記無線ネットワークコントローラによって発送される測定構成に従う前記ユーザーイクイップメントによる測定によって取得され、且つ、前記ユーザーイクイップメントに対応する前記マイクロセルが第１の周波数内測定レポートイベント又は第２の周波数内測定レポートイベントをトリガするときに、前記無線ネットワークコントローラに報告される、ステップ、
を含む、請求項２２乃至２４のいずれか一項に記載の方法。
【手続補正２】
【補正対象書類名】明細書
【補正対象項目名】００１６
【補正方法】変更
【補正の内容】
【００１６】
第７の可能な実施方式〜第９の可能な実施方式のうちいずれか１つに関して、第１１の可能な実施方式では、測定レポート取得モジュールは、具体的には、無線ネットワークコントローラによって転送されるユーザーイクイップメントの測定レポートを受信するように構成される。測定レポートは、無線ネットワークコントローラによって発送される測定構成に従うユーザーイクイップメントによる測定によって取得され、且つ、ユーザーイクイップメントに対応するマイクロセルが第１の周波数内測定レポートイベント又は第２の周波数内測定レポートイベントをトリガするときに、無線ネットワークコントローラに報告される。
【手続補正３】
【補正対象書類名】明細書
【補正対象項目名】００２８
【補正方法】変更
【補正の内容】
【００２８】
第７の可能な実施方式〜第９の可能な実施方式のうちいずれか１つに関して、第１１の可能な実施方式では、受信器は、具体的には、ユーザーイクイップメントがユーザーイクイップメントによって報告された測定レポートに従って第１のユーザーイクイップメント群又は第２のユーザーイクイップメント群に分類される前に、無線ネットワークコントローラによって転送されるユーザーイクイップメントの測定レポートを受信するように構成される。測定レポートは、無線ネットワークコントローラによって発送される測定構成に従うユーザーイクイップメントによる測定によって取得され、且つ、ユーザーイクイップメントに対応するマイクロセルが第１の周波数内測定レポートイベント又は第２の周波数内測定レポートイベントをトリガするときに、無線ネットワークコントローラに報告される。
【手続補正４】
【補正対象書類名】明細書
【補正対象項目名】００４３
【補正方法】変更
【補正の内容】
【００４３】
第７の可能な実施方式〜第９の可能な実施方式のうちいずれか１つに関して、第１１の可能な実施方式では、マクロ基地局がユーザーイクイップメントによって報告される測定レポートを取得するステップは、マクロ基地局が、無線ネットワークコントローラによって転送されるユーザーイクイップメントの測定レポートを受信するステップであって、測定レポートは、無線ネットワークコントローラによって発送される測定構成に従うユーザーイクイップメントによる測定によって取得され、且つ、ユーザーイクイップメントに対応するマイクロセルが第１の周波数内測定レポートイベント又は第２の周波数内測定レポートイベントをトリガするときに、無線ネットワークコントローラに報告される、ステップ、を含む。
【手続補正５】
【補正対象書類名】明細書
【補正対象項目名】０１３２
【補正方法】変更
【補正の内容】
【０１３２】
更に、小グループグループ化モジュールは、具体的には、第２のユーザーイクイップメント群の任意のユーザーイクイップメントが単一のマイクロセルのみのエッジに位置する場合、任意のユーザーイクイップメントを第２のユーザーイクイップメント群の通常の小グループに分類するように構成され、通常の小グループと単一のマイクロセルとは１対１の関係にあり、又は、任意のユーザーイクイップメントが少なくとも２つのマイクロセルのエッジに位置する場合、任意のユーザーイクイップメントを少なくとも２つのマイクロセルに対応する特定の小グループに分類するように構成され、特定の小グループは通常の小グループ以外の小グループである。
【国際調査報告】
2017501635.tif 000012
2017501635.tif 000013
2017501635.tif 000014
2017501635.tif 000015